(57)【要約】【課題】  携帯端末の交換時であっても、簡易で低コストに、バックアップ済みのデータを新たな携帯端末に安全に復元できるようにする。【解決手段】  データバックアップ装置１は、充電装置２を介して携帯端末３に接続される。データバックアップ装置１は、携帯端末３が記憶するデータを、充電装置２を介してバックアップする。この場合、データバックアップ装置１は、携帯端末３の端末ＩＤとデータバックアップ装置１の装置ＩＤとに基づいて、バックアップＩＤを生成する。そして、データバックアップ装置１は、一意に生成したバックアップＩＤを、充電装置２を介して携帯端末３に記憶させる。データの復元時には、データバックアップ装置１は、携帯端末３が記憶するバックアップＩＤを認証し、認証に成功した場合にのみ、バックアップ済みのデータを充電装置２を介して携帯端末３に復元する。【選択図】  図１
2006352519.tif 000002
【特許請求の範囲】
【請求項１】
携帯端末の充電装置を介して前記携帯端末に接続され、前記携帯端末が記憶するデータをバックアップするデータバックアップ装置であって、
データを記憶するデータ記憶手段と、
前記充電装置を介して前記携帯端末が記憶するデータを読み出し、読み出した前記データを前記データ記憶手段に書き込む制御手段とを
備えたことを特徴とするデータバックアップ装置。
【請求項２】
携帯端末の充電装置を介して前記携帯端末に接続され、前記携帯端末が記憶するデータをバックアップするデータバックアップ装置であって、
前記充電装置を介して、前記携帯端末から読み出されたデータを受信し、前記携帯端末に対して書き込むべきデータを送信するためのデータ接続手段と、
前記携帯端末から読み出したデータを記憶するデータ記憶手段と、
前記データ接続手段を用いて前記充電装置を介して前記携帯端末と接続されたことを検出すると、前記データ接続手段を用いて、前記充電装置を介して前記携帯端末が記憶するデータを読み出し、前記データ記憶手段に対して、読み出した前記データの書き込みを実行する制御手段とを
備えたことを特徴とするデータバックアップ装置。
【請求項３】
制御手段は、データ記憶手段からデータを読み出し、データ接続手段を用いて、充電装置を介して携帯端末へのデータの書き込みを実行する請求項２記載のデータバックアップ装置。
【請求項４】
携帯端末からデータ記憶手段へのデータのバックアップを行なうバックアップモードと、前記データ記憶手段から前記携帯端末へのデータの復元を行なうリストアモードとのいずれかの動作モードを設定する設定手段を備え、
制御手段は、
前記設定手段によってバックアップモードに設定されていると判断すると、前記携帯端末から前記データ記憶手段へのデータのバックアップを行い、
前記設定手段によってリストアモードに設定されていると判断すると、前記データ記憶手段から前記携帯端末へのデータの復元を行う
請求項３記載のデータバックアップ装置。
【請求項５】
設定手段は、バックアップモード、リストアモード、又はデータのバックアップ及び復元のいずれも実行しない動作モードである無効モードのうちのいずれかの動作モードを設定し、
制御手段は、前記設定手段によって無効モードに設定されていると判断すると、携帯端末からデータ記憶手段へのデータのバックアップ、及び前記データ記憶手段から前記携帯端末へのデータの復元のいずれも実行しないように制御する
請求項４記載のデータバックアップ装置。
【請求項６】
制御手段は、
データ記憶手段にバックアップデータが書き込まれているか否かを判断し、
前記データ記憶手段にバックアップデータが書き込まれていると判断すると、前記データ記憶手段に書き込まれているバックアップデータが、データ接続手段を用いて接続を検出した携帯端末から、過去にバックアップしたデータであるか否かを判断し、
前記データ記憶手段にバックアップデータが書き込まれていないと判断した場合、又は前記データ記憶手段にバックアップデータが書き込まれていると判断するとともに、前記データ記憶手段に書き込まれているバックアップデータが、前記データ接続手段を用いて接続を検出した前記携帯端末から、過去にバックアップしたデータであると判断した場合、動作モードをバックアップモードに設定し、
前記データ記憶手段にバックアップデータが書き込まれていると判断するとともに、前記データ記憶手段に書き込まれているバックアップデータが、前記データ接続手段を用いて接続を検出した前記携帯端末から過去にバックアップしたデータではないと判断した場合、動作モードをリストアモードに設定する
請求項４又は請求項５記載のデータバックアップ装置。
【請求項７】
制御手段は、
データ記憶手段にバックアップデータが書き込まれているか否かを判断し、
前記データ記憶手段にバックアップデータが書き込まれていると判断すると、前記データ記憶手段に書き込まれているバックアップデータが、データ接続手段を用いて接続を検出した携帯端末から、過去にバックアップしたデータであるか否かを判断し、
前記データ記憶手段に書き込まれているバックアップデータが、データ接続手段を用いて接続を検出した携帯端末から、過去にバックアップしたデータでないと判断すると、前記携帯端末がバックアップすべきデータを記憶しているか否かを判断し、
前記データ記憶手段にバックアップデータが書き込まれていないと判断した場合、又は前記データ記憶手段にバックアップデータが書き込まれていると判断するとともに、前記データ記憶手段に書き込まれているバックアップデータが、前記データ接続手段を用いて接続を検出した前記携帯端末から、過去にバックアップしたデータであると判断した場合、動作モードをバックアップモードに設定し、
前記データ記憶手段にバックアップデータが書き込まれていると判断するとともに、前記データ記憶手段に書き込まれているバックアップデータが、前記データ接続手段を用いて接続を検出した前記携帯端末から過去にバックアップしたデータではないと判断し、且つ、前記携帯端末がバックアップすべきデータを記憶していないと判断した場合、動作モードをリストアモードに設定し、
前記データ記憶手段にバックアップデータが書き込まれていると判断するとともに、前記データ記憶手段に書き込まれているバックアップデータが、前記データ接続手段を用いて接続を検出した前記携帯端末から過去にバックアップしたデータではないと判断し、且つ、前記携帯端末がバックアップすべきデータを記憶していると判断した場合、動作モードを無効モードに設定する
請求項５に記載のデータバックアップ装置。
【請求項８】
制御手段は、
データ記憶手段にバックアップデータが書き込まれているか否かを判断し、
前記データ記憶手段にバックアップデータが書き込まれていると判断すると、前記データ記憶手段に書き込まれているバックアップデータが、データ接続手段を用いて接続を検出した携帯端末から、過去にバックアップしたデータであるか否かを判断し、
前記データ記憶手段に書き込まれているバックアップデータが、データ接続手段を用いて接続を検出した携帯端末から、過去にバックアップしたデータであると判断すると、前記携帯端末がユーザのプライバシ情報を所定数以上記憶しているか否かを判断し、
前記データ記憶手段に書き込まれているバックアップデータが、データ接続手段を用いて接続を検出した携帯端末から、過去にバックアップしたデータでないと判断すると、前記携帯端末がバックアップすべきデータを記憶しているか否かを判断し、
前記データ記憶手段にバックアップデータが書き込まれていないと判断した場合、又は前記データ記憶手段にバックアップデータが書き込まれていると判断するとともに、前記データ記憶手段に書き込まれているバックアップデータが、前記データ接続手段を用いて接続を検出した前記携帯端末から、過去にバックアップしたデータであると判断し、且つ、前記携帯端末がユーザのプライバシ情報を所定数以上記憶していると判断した場合、動作モードをバックアップモードに設定し、
前記データ記憶手段にバックアップデータが書き込まれていると判断するとともに、前記データ記憶手段に書き込まれているバックアップデータが、前記データ接続手段を用いて接続を検出した前記携帯端末から過去にバックアップしたデータではないと判断し、且つ、前記携帯端末がバックアップすべきデータを記憶していないと判断した場合、動作モードをリストアモードに設定し、
前記データ記憶手段にバックアップデータが書き込まれていると判断するとともに、前記データ記憶手段に書き込まれているバックアップデータが、前記データ接続手段を用いて接続を検出した前記携帯端末から過去にバックアップしたデータではないと判断し、且つ、前記携帯端末がバックアップすべきデータを記憶していると判断した場合、動作モードを無効モードに設定する
請求項５に記載のデータバックアップ装置。
【請求項９】
制御手段は、
携帯端末からデータ記憶手段にデータをバックアップする際に、前記携帯端末を識別するための端末ＩＤと、データバックアップ装置を識別するための装置ＩＤとに基づいて、前記バックアップを識別するためのバックアップＩＤを生成し、
生成した前記バックアップＩＤを、充電装置を介して前記携帯端末に記憶させ、
前記携帯端末にバックアップ済みデータを復元する際に、前記携帯端末が前記バックアップＩＤを記憶しているか否かを判断し、
前記携帯端末が前記バックアップＩＤを記憶していると判断すると、前記携帯端末が記憶するバックアップＩＤが、前記携帯端末に対応する端末ＩＤと、データバックアップ装置に対応する装置ＩＤとに基づいて生成したＩＤであるか否かを判断し、
前記携帯端末が記憶するバックアップＩＤが、前記携帯端末に対応する端末ＩＤと、データバックアップ装置に対応する装置ＩＤとに基づいて生成したＩＤであると判断すると、前記データ記憶手段から前記携帯端末へのデータの復元を実行する
請求項４から請求項８のうちのいずれか１項に記載のデータバックアップ装置。
【請求項１０】
制御手段は、
携帯端末からデータ記憶手段にデータをバックアップする際に、前記携帯端末が記憶するデータのうち、前記携帯端末のユーザのプライバシ情報と、有料コンテンツとを一括したデータである一括バックアップデータを生成し、
生成した前記一括バックアップデータを前記データ記憶手段に記憶させ、
前記データ記憶手段から前記携帯端末にデータを復元する際に、前記データ記憶手段が記憶する一括バックアップデータを、充電装置を介して、そのまま前記携帯端末に復元する
請求項５から請求項７のうちのいずれか１項に記載のデータバックアップ装置。
【請求項１１】
制御手段は、
データ記憶手段から携帯端末にデータを復元すると、前記データを復元した時刻である復元時刻を記憶装置に記憶させ、
前記記憶装置に記憶させた復元時刻に基づいて、前記データを復元した後、所定期間が経過するまで、データの復元の実行を禁止する
請求項１から請求項１０のうちのいずれか１項に記載のデータバックアップ装置。
【請求項１２】
データバックアップ装置の状態をユーザに通知する通知手段を備えた請求項１から請求項１１のうちのいずれか１項に記載のデータバックアップ装置。
【請求項１３】
制御手段は、
携帯端末が記憶するデータを充電装置を介して読み出すと、読み出した前記データの名前と、前記データを読み出した時刻を示すタイムスタンプとを対応付けて前記データ記憶手段に記憶させ、
前記携帯端末が記憶するデータを前記データ記憶手段にバックアップする際に、前記データ記憶手段が過去に記憶したデータのうち、前記バックアップ対象のデータと名前が同じであるデータを特定し、
特定した前記データに対応するタイムスタンプに示される時刻が、前記バックアップ対象のデータに対応するタイムスタンプに示される時刻と同じであるか、又は特定した前記データに対応するタイムスタンプに示される時刻が、前記バックアップ対象のデータに対応するタイムスタンプに示される時刻より新しいと判断すると、通知手段に前記携帯端末のユーザへの警告を通知させる
請求項１２記載のデータバックアップ装置。
【請求項１４】
制御手段は、
データ記憶手段が記憶するデータを携帯端末に復元する際に、前記携帯端末が記憶するデータのうち、前記データ記憶手段が記憶するデータと名前が同じであるデータを特定し、
特定した前記データの全データ量が、前記データ記憶手段が記憶するデータの全データ量と同じであるか、又は特定した前記データの全データ量が、前記データ記憶手段が記憶するデータの全データ量より大きいと判断すると、通知手段に前記携帯端末のユーザへの警告を通知させる
請求項１２記載のデータバックアップ装置。
【請求項１５】
制御手段は、携帯端末から充電装置を介してデータを読み出し、読み出した前記データをバックアップする毎に、グループを作成し、
作成した前記グループに前記データを読み出した携帯端末に対応する端末ＩＤを付与し、読み出した前記データとともに前記端末ＩＤをグループ毎に前記データ記憶手段に記憶させ、
前記バックアップしたデータを携帯端末に復元する際に、前記データ記憶手段が記憶するデータに対応するグループのうち、復元先の携帯端末に対応する端末ＩＤと合致する端末ＩＤが付与されているグループを特定し、
前記データ記憶手段が記憶するデータのうち、前記特定したグループに対応するデータを前記携帯端末に復元する
請求項１から請求項１４のうちのいずれか１項に記載のデータバックアップ装置。
【請求項１６】
携帯端末と、
前記携帯端末の充電装置を介して前記携帯端末に接続され、前記携帯端末が記憶するデータをバックアップするデータバックアップ装置とを備え、
前記データバックアップ装置は、データを記憶するデータ記憶手段を含み、
前記携帯端末は、
当該携帯端末から前記データ記憶手段にデータをバックアップする際に、前記携帯端末を識別するための端末ＩＤと、前記データバックアップ装置を識別するための装置ＩＤとに基づいて、前記バックアップを識別するためのバックアップＩＤを生成するバックアップＩＤ生成手段と、
前記バックアップＩＤ生成手段が生成した前記バックアップＩＤを記憶するＩＤ記憶手段と、
当該携帯端末にバックアップ済みデータを復元する際に、前記ＩＤ記憶手段がバックアップＩＤを記憶しているか否かを判断するＩＤ有無判断手段と、
前記ＩＤ有無判断手段がバックアップＩＤを記憶していると判断すると、前記ＩＤ記憶手段が記憶するバックアップＩＤが、前記携帯端末に対応する端末ＩＤと、前記データバックアップ装置に対応する装置ＩＤとに基づいて生成したＩＤであるか否かを判断するＩＤ判断手段と、
前記ＩＤ判断手段が、前記ＩＤ記憶手段が記憶するバックアップＩＤが、前記携帯端末に対応する端末ＩＤと、前記データバックアップ装置に対応する装置ＩＤとに基づいて生成したＩＤであると判断すると、前記データ記憶手段から前記携帯端末へのデータの復元を実行するデータ復元手段とを含む
ことを特徴とするデータバックアップシステム。
【請求項１７】
携帯端末と、
前記携帯端末の充電装置を介して前記携帯端末に接続され、前記携帯端末が記憶するデータをバックアップするデータバックアップ装置とを備え、
前記データバックアップ装置は、
データを記憶するデータ記憶手段と、
前記充電装置を介して前記携帯端末が記憶するデータを読み出し、読み出した前記データを前記データ記憶手段に書き込む制御手段とを含み、
前記携帯端末は、
当該携帯端末から前記データ記憶手段にデータをバックアップする際に、前記携帯端末を識別するための端末ＩＤと、前記データバックアップ装置を識別するための装置ＩＤとに基づいて、前記バックアップを識別するためのバックアップＩＤを生成するバックアップＩＤ生成手段と、
前記バックアップＩＤ生成手段が生成した前記バックアップＩＤを記憶するＩＤ記憶手段とを含み、
前記制御手段は、
前記携帯端末にバックアップ済みデータを復元する際に、前記携帯端末が前記バックアップＩＤを記憶しているか否かを判断し、
前記携帯端末が前記バックアップＩＤを記憶していると判断すると、前記携帯端末が記憶するバックアップＩＤが、前記携帯端末に対応する端末ＩＤと、前記データバックアップ装置に対応する装置ＩＤとに基づいて生成したＩＤであるか否かを判断し、
前記携帯端末が記憶するバックアップＩＤが、前記携帯端末に対応する端末ＩＤと、前記データバックアップ装置に対応する装置ＩＤとに基づいて生成したＩＤであると判断すると、前記データ記憶手段から前記携帯端末へのデータの復元を実行する
ことを特徴とするデータバックアップシステム。
【請求項１８】
携帯端末が記憶するデータをバックアップするデータバックアップ方法であって、
前記携帯端末の充電装置を介して前記携帯端末に接続されるデータバックアップ装置が、前記充電装置を介して、前記携帯端末が記憶するデータを読み出すステップと、
前記データバックアップ装置が、データ記憶手段に対して、読み出した前記データの書き込みを実行するステップとを
含むことを特徴とするデータバックアップ方法。
【請求項１９】
バックアップしたデータを携帯端末に復元するデータ復元方法であって、
前記携帯端末の充電装置を介して前記携帯端末に接続されるデータバックアップ装置が、バックアップしたデータをデータ記憶手段から読み出すステップと、
前記データバックアップ装置が、前記充電装置を介して、読み出した前記データの前記携帯端末への書き込みを実行するステップとを
含むことを特徴とするデータ復元方法。
【発明の詳細な説明】
【技術分野】
【０００１】
本発明は、携帯型装置（携帯端末）に蓄積されるデータをバックアップするデータバックアップ装置（外部記憶装置）及びデータバックアップシステムに関する。また、本発明は、携帯端末が記憶するデータをバックアップするデータバックアップ方法に関する。更に、本発明は、バックアップしたデータを携帯端末に復元するデータ復元方法に関する。
【背景技術】
【０００２】
近年、携帯端末（特に、携帯電話機）において、多種多様なデータを携帯電話機内の記憶装置に記憶して利用することが可能となってきている。例えば、携帯電話機の利用者自身が書き込んだ電話帳やスケジュール帳のデータを、携帯電話機内に電子的に保存できる。また、携帯電話機が搭載するカメラで撮影した写真画像や、オンラインのサービスで入手した音楽又はゲーム等のコンテンツを、携帯電話機内に電子的に保存できる。更に、赤外線やＦｅｌｉＣａ（登録商標）等の近接無線通信を用いて、電子化したクーポン券やチケットを、携帯電話機内に電子的に保存できる。
【０００３】
このように、個人情報として重要であり、金銭的価値としても重要なデータが１台の携帯端末上に数多く蓄積されるようになっている。そのため、その携帯端末が故障したり紛失した際に、データを遺失することによる損失も大きい。従って、日常的に持ち歩く携帯端末内のデータを、できるだけ頻繁にバックアップするようにすることが望ましい。
【０００４】
現在、提供されているバックアップ手段として、例えば、パーソナルコンピュータ（以下、単にＰＣともいう）と、バックアップ処理用の専用のアプリケーションソフトウェア（以下、専用ＡＰともいう）とを用いて、携帯端末が記憶するデータをバックアップする方法がある。また、携帯端末とＰＣとをケーブルで接続したり、携帯端末とＰＣとの間で赤外線通信を行なうことによって、携帯端末が記憶するデータをＰＣ側にバックアップする方法がある。また、携帯端末に直接装着可能な外部メモリカードを携帯端末に装着して、メモリカードに一部の種類のデータ（例えば、電話帳データや画像、音声データ）のみを保存できるようにすることが行われている。
【０００５】
ＰＣと専用ＡＰとを用いたバックアップ手段を用いる場合、比較的多くの種類のデータをバックアップすることが可能である。しかし、バックアップの際に、ＰＣを起動したり、携帯端末とＰＣとを接続したり、専用ＡＰを起動させたりする等の一連の手順の操作が必要となる。そのため、利用者にとって作業が煩雑であり、利用者にバックアップを行なうことを日常的に習慣づけさせることは容易ではない。
【０００６】
また、携帯端末の故障や紛失等の障害が発生した場合でなくても、例えば、携帯電話機を新しい機種に乗り換えたい場合がある。この場合、携帯電話機の販売店が備えるデータ移行手段（装置）を用いたとしても、現状では携帯電話機に保存されている元のデータの全て（例えば、全ての種類のデータ）を、新しい携帯電話機に移行させることはできない。
【０００７】
また、例えば、特許文献１には、携帯端末の一種であるデジタルスチルカメラ等の撮像装置に蓄積された画像データを、容易にバックアップする手段が記載されている。特許文献１に記載された方法では、一般にクレードルと呼ばれる撮像装置の充電用架台にバックアップ用外部記憶装置を備えることによって、充電時にデータのバックアップも併せて行えるようにしている。特許文献１に記載されたバックアップ手段を用いれば、ＰＣを用いたバックアップ方法より簡便である。また、一般に充電に１時間以上の時間がかかるので、バックアップしたいデータ量が多い場合であっても、バックアップのために十分な時間が確保できる。すなわち、特許文献１に記載されたバックアップ方法では、充電とは別にバックアップのために携帯端末を固定させておく時間を長時間確保する必要がないという利点がある。
【０００８】
一方、単にバックアップ作業を容易にする手段を提供しただけでは、同じ機種の携帯端末であれば、誰が所持しているものであっても、同一のバックアップ装置に対してバックアップや復元を行うことができでしまう。そのため、同じファイル名で内容の異なるデータの上書きをしてしまったり、正規ユーザ以外の他者が、無断複製を許可されていない市販のコンテンツを容易に共有できてしまうという問題が生じうる。
【０００９】
これに対して、特許文献２には、正規ユーザ以外のユーザの端末によるデータの復元を制限する方法が記載されている。特許文献２に記載された方法では、携帯電話機からＰＣへＪＡＶＡ（登録商標）アプリケーションをバックアップする際に、携帯電話機の製造番号と電話番号とを記録する。また、データを復元する際に、それら記録した製造番号や電話番号を、復元先の携帯電話機から取得した製造番号や電話番号と比較する。そして、製造番号や電話番号が一致しなければ、データの復元を行なわない。
【００１０】
なお、特許文献２に記載された方法を用いると、利用回数が制限されているコンテンツをバックアップした場合、そのコンテンツの利用回数を記録したカウンタごとコンテンツをバックアップすることになってしまう。そのため、携帯電話機の製造番号と電話番号とのうち一方又は両方が合致すると、コンテンツを何度でも復元できることになる。従って、利用回数制限のあるコンテンツが実質的に何度でも利用できてしまうという問題が生じる。そのような問題に対して、非特許文献１には、利用回数制限のあるコンテンツもバックアップ可能であるが、元の端末への復元時に専用サーバに問い合わせることによって、サーバ側で利用回数を管理して指定回数以上の利用ができないようにする方法が記載されている。
【００１１】
【特許文献１】特開２００２−２０９１７５号公報（段落００３０、図１）
【特許文献２】特開２００２−１８５５７９号公報（段落００１５−００２１、図４−６）
【非特許文献１】田口  大悟、外３名、”ユビキタスサービス基盤（６）〜ユビキタス情報の分散管理〜”、情報科学技術フォーラム２００３、一般講演論文Ｍ−１３７
【発明の開示】
【発明が解決しようとする課題】
【００１２】
特許文献１や特許文献２、特許文献３に記載された従来のデータバックアップ装置では、所持している携帯端末を別の種類の新しい携帯端末に交換する場合に、データバックアップ装置との接続に必要なコネクタ形状が、交換前の機種と新しい機種とで異なることがある。また、特許文献１に記載されたデータバックアップ装置を用いる場合、交換前の携帯端末と交換後の携帯端末とで電圧や周波数の定格値が異なる場合があるので、データバックアップ装置と充電装置とが一体化していると、結局、データバックアップ装置ごと交換しなければならなくなってしまう。そのため、利用者が同一であるにもかかわらず、交換前の元の端末から新しい端末にデータを引き継げない場合が生じることがある。
【００１３】
なお、特許文献１には、バックアップのためのデータ送信に、無線通信を用いる方法も記載されている。しかし、無線通信によってデータ送信を行ったとしても、例えば、携帯端末側で赤外線通信方式を採用し、バックアップ装置側でＢｌｕｅｔｏｏｔｈを採用している場合等、携帯端末側とバックアップ装置側とで使用可能な無線通信の方式が異なる場合には、バックアップを行うことができない。また、特許文献１では、携帯端末内のデータをバックアップするための簡便な手段を提供しているが、携帯端末を他の異なる新しい機種の携帯端末に変更した際に、バックアップしたデータを変更後の携帯端末内に確実に復元できる手段は開示されていない。
【００１４】
また、携帯端末の所有者自身が、自ら所有する携帯端末を他の携帯端末に買い換えてデータを復元した場合は問題ないが、バックアップ済みのデータをバックアップ元とは異なる携帯端末に復元させると、不正なコピーを行ったことになる。また、不正コピーが行われると、著作権の侵害を生じてしまう可能性がある。従って、バックアップ装置は、不正コピーが行われることを防ぐ手段を備えることが望ましい。
【００１５】
特許文献２には、携帯端末の所有者本人による端末の交換時にのみ、異なる端末へのバックアップデータの復元を許可する方法がで開示されている。しかし、特許文献２に記載された方法では、携帯端末とバックアップ装置との両方に、バックアップ機能及び復元機能を実現するのための特別な実装が必要となる。また、特許文献２に記載された方法では、バックアップ装置側に携帯端末のＩＤ情報自体を記録するので、バックアップ装置が高い耐タンパ性を備えることが要求される。そのため、特許文献２に記載された方法では、上記のような機能を実現するために、バックアップ装置の製造等のコストが高くなってしまう。従って、バックアップ装置を、より低コストに実現できるようにすることが望まれる。
【００１６】
そこで、本発明は、携帯端末の機種に関わらず、携帯端末が記憶するデータをバックアップできるデータバックアップ装置、データバックアップシステム、データバックアップ方法及びデータ復元方法を提供することを目的とする。また、本発明は、携帯端末に保存されているデータを日常的に容易にバックアップでき、且つ必要時に簡易な手段を用いて容易にデータを復元できるデータバックアップ装置、データバックアップシステム、データバックアップ方法及びデータ復元方法を提供することを目的とする。
【００１７】
また、本発明は、携帯端末の故障や紛失、買い替え等に伴う端末の変更の際に、端末の変更後に唯一の携帯端末に対してのみ、簡易な手段を用いてバックアップデータを復元できるデータバックアップ装置、データバックアップ方法及びデータ復元方法を提供することを目的とする。
【課題を解決するための手段】
【００１８】
本発明によるデータバックアップ装置は、携帯端末の充電装置を介して携帯端末に接続され、携帯端末が記憶するデータをバックアップするデータバックアップ装置であって、データを記憶するデータ記憶手段（例えば、データ記憶手段１３によって実現される）と、充電装置を介して携帯端末が記憶するデータを読み出し、読み出したデータをデータ記憶手段に書き込む制御手段（例えば、制御手段１２によって実現される）とを備えたことを特徴とする。
【００１９】
また、データバックアップ装置は、携帯端末の充電装置を介して携帯端末に接続され、携帯端末が記憶するデータをバックアップするデータバックアップ装置であって、充電装置を介して、携帯端末から読み出されたデータを受信し、携帯端末に対して書き込むべきデータを送信するためのデータ接続手段（例えば、データ接続手段１６によって実現される）と、携帯端末から読み出したデータを記憶するデータ記憶手段と、データ接続手段を用いて充電装置を介して携帯端末と接続されたことを検出すると、データ接続手段を用いて、充電装置を介して携帯端末が記憶するデータを読み出し、データ記憶手段に対して、読み出したデータの書き込みを実行する制御手段とを備えたものであってもよい。
【００２０】
また、データバックアップ装置において、制御手段は、データ記憶手段からデータを読み出し、データ接続手段を用いて、充電装置を介して携帯端末へのデータの書き込みを実行するものであってもよい。
【００２１】
また、データバックアップ装置は、携帯端末からデータ記憶手段へのデータのバックアップを行なうバックアップモードと、データ記憶手段から携帯端末へのデータの復元を行なうリストアモードとのいずれかの動作モードを設定する設定手段（例えば、設定手段１７によって実現される）を備え、制御手段は、設定手段によってバックアップモードに設定されていると判断すると、携帯端末からデータ記憶手段へのデータのバックアップを行い、設定手段によってリストアモードに設定されていると判断すると、データ記憶手段から携帯端末へのデータの復元を行うものであってもよい。
【００２２】
また、データバックアップ装置において、設定手段は、バックアップモード、リストアモード、又はデータのバックアップ及び復元のいずれも実行しない動作モードである無効モードのうちのいずれかの動作モードを設定し、制御手段は、設定手段によって無効モードに設定されていると判断すると、携帯端末からデータ記憶手段へのデータのバックアップ、及びデータ記憶手段から携帯端末へのデータの復元のいずれも実行しないように制御するものであってもよい。
【００２３】
また、データバックアップ装置において、制御手段は、データ記憶手段にバックアップデータが書き込まれているか否かを判断し、データ記憶手段にバックアップデータが書き込まれていると判断すると、データ記憶手段に書き込まれているバックアップデータが、データ接続手段を用いて接続を検出した携帯端末から、過去にバックアップしたデータであるか否かを判断し、データ記憶手段にバックアップデータが書き込まれていないと判断した場合、又はデータ記憶手段にバックアップデータが書き込まれていると判断するとともに、データ記憶手段に書き込まれているバックアップデータが、データ接続手段を用いて接続を検出した携帯端末から、過去にバックアップしたデータであると判断した場合、動作モードをバックアップモードに設定し、データ記憶手段にバックアップデータが書き込まれていると判断するとともに、データ記憶手段に書き込まれているバックアップデータが、データ接続手段を用いて接続を検出した携帯端末から過去にバックアップしたデータではないと判断した場合、動作モードをリストアモードに設定するものであってもよい。
【００２４】
また、データバックアップ装置において、制御手段は、データ記憶手段にバックアップデータが書き込まれているか否かを判断し、データ記憶手段にバックアップデータが書き込まれていると判断すると、データ記憶手段に書き込まれているバックアップデータが、データ接続手段を用いて接続を検出した携帯端末から、過去にバックアップしたデータであるか否かを判断し、データ記憶手段に書き込まれているバックアップデータが、データ接続手段を用いて接続を検出した携帯端末から、過去にバックアップしたデータでないと判断すると、携帯端末がバックアップすべきデータを記憶しているか否かを判断し、データ記憶手段にバックアップデータが書き込まれていないと判断した場合、又はデータ記憶手段にバックアップデータが書き込まれていると判断するとともに、データ記憶手段に書き込まれているバックアップデータが、データ接続手段を用いて接続を検出した携帯端末から、過去にバックアップしたデータであると判断した場合、動作モードをバックアップモードに設定し、データ記憶手段にバックアップデータが書き込まれていると判断するとともに、データ記憶手段に書き込まれているバックアップデータが、データ接続手段を用いて接続を検出した携帯端末から過去にバックアップしたデータではないと判断し、且つ、携帯端末がバックアップすべきデータを記憶していないと判断した場合、動作モードをリストアモードに設定し、データ記憶手段にバックアップデータが書き込まれていると判断するとともに、データ記憶手段に書き込まれているバックアップデータが、データ接続手段を用いて接続を検出した携帯端末から過去にバックアップしたデータではないと判断し、且つ、携帯端末がバックアップすべきデータを記憶していると判断した場合、動作モードを無効モードに設定するものであってもよい。
【００２５】
また、データバックアップ装置において、制御手段は、データ記憶手段にバックアップデータが書き込まれているか否かを判断し、データ記憶手段にバックアップデータが書き込まれていると判断すると、データ記憶手段に書き込まれているバックアップデータが、データ接続手段を用いて接続を検出した携帯端末から、過去にバックアップしたデータであるか否かを判断し、データ記憶手段に書き込まれているバックアップデータが、データ接続手段を用いて接続を検出した携帯端末から、過去にバックアップしたデータであると判断すると、携帯端末がユーザのプライバシ情報（例えば、メモリダイアルデータ）を所定数以上記憶しているか否かを判断し、データ記憶手段に書き込まれているバックアップデータが、データ接続手段を用いて接続を検出した携帯端末から、過去にバックアップしたデータでないと判断すると、携帯端末がバックアップすべきデータを記憶しているか否かを判断し、データ記憶手段にバックアップデータが書き込まれていないと判断した場合、又はデータ記憶手段にバックアップデータが書き込まれていると判断するとともに、データ記憶手段に書き込まれているバックアップデータが、データ接続手段を用いて接続を検出した携帯端末から、過去にバックアップしたデータであると判断し、且つ、携帯端末がユーザのプライバシ情報を所定数以上記憶していると判断した場合、動作モードをバックアップモードに設定し、データ記憶手段にバックアップデータが書き込まれていると判断するとともに、データ記憶手段に書き込まれているバックアップデータが、データ接続手段を用いて接続を検出した携帯端末から過去にバックアップしたデータではないと判断し、且つ、携帯端末がバックアップすべきデータを記憶していないと判断した場合、動作モードをリストアモードに設定し、データ記憶手段にバックアップデータが書き込まれていると判断するとともに、データ記憶手段に書き込まれているバックアップデータが、データ接続手段を用いて接続を検出した携帯端末から過去にバックアップしたデータではないと判断し、且つ、携帯端末がバックアップすべきデータを記憶していると判断した場合、動作モードを無効モードに設定するものであってもよい。
【００２６】
また、データバックアップ装置において、制御手段は、携帯端末からデータ記憶手段にデータをバックアップする際に、携帯端末を識別するための端末ＩＤと、データバックアップ装置を識別するための装置ＩＤとに基づいて、バックアップを識別するためのバックアップＩＤを生成し、生成したバックアップＩＤを、充電装置を介して携帯端末に記憶させ、携帯端末にバックアップ済みデータを復元する際に、携帯端末がバックアップＩＤを記憶しているか否かを判断し、携帯端末がバックアップＩＤを記憶していると判断すると、携帯端末が記憶するバックアップＩＤが、携帯端末に対応する端末ＩＤと、データバックアップ装置に対応する装置ＩＤとに基づいて生成したＩＤであるか否かを判断し、携帯端末が記憶するバックアップＩＤが、携帯端末に対応する端末ＩＤと、データバックアップ装置に対応する装置ＩＤとに基づいて生成したＩＤであると判断すると、データ記憶手段から携帯端末へのデータの復元を実行するものであってもよい。
【００２７】
また、データバックアップ装置において、制御手段は、携帯端末からデータ記憶手段にデータをバックアップする際に、携帯端末が記憶するデータのうち、携帯端末のユーザのプライバシ情報（例えば、非公開とすべきデータ。すなわち、メモリダイアルデータ等）と、有料コンテンツ（例えば、不正複製を防止したい有料コンテンツ）とを一括したデータである一括バックアップデータを生成し、生成した一括バックアップデータをデータ記憶手段に記憶させ、データ記憶手段から携帯端末にデータを復元する際に、データ記憶手段が記憶する一括バックアップデータを、充電装置を介して、そのまま携帯端末に復元するものであってもよい。
【００２８】
また、データバックアップ装置において、制御手段は、データ記憶手段から携帯端末にデータを復元すると、データを復元した時刻である復元時刻を記憶装置に記憶させ、記憶装置に記憶させた復元時刻に基づいて、データを復元した後、所定期間が経過するまで、データの復元の実行を禁止するものであってもよい。
【００２９】
また、データバックアップ装置は、データバックアップ装置の状態をユーザに通知（例えば、光の色や明滅パタン、画像、音声を用いた通知）する通知手段（例えば、通知手段１８によって実現される）を備えたものであってもよい。
【００３０】
また、データバックアップ装置において、制御手段は、携帯端末が記憶するデータを充電装置を介して読み出すと、読み出したデータの名前と、データを読み出した時刻を示すタイムスタンプとを対応付けてデータ記憶手段に記憶させ、携帯端末が記憶するデータをデータ記憶手段にバックアップする際に、データ記憶手段が過去に記憶したデータのうち、バックアップ対象のデータと名前が同じであるデータを特定し、特定したデータに対応するタイムスタンプに示される時刻が、バックアップ対象のデータに対応するタイムスタンプに示される時刻と同じであるか、又は特定したデータに対応するタイムスタンプに示される時刻が、バックアップ対象のデータに対応するタイムスタンプに示される時刻より新しいと判断すると、通知手段に携帯端末のユーザへの警告を通知させるものであってもよい。
【００３１】
また、データバックアップ装置において、制御手段は、データ記憶手段が記憶するデータを携帯端末に復元する際に、携帯端末が記憶するデータのうち、データ記憶手段が記憶するデータと名前が同じであるデータを特定し、特定したデータの全データ量が、データ記憶手段が記憶するデータの全データ量と同じであるか、又は特定したデータの全データ量が、データ記憶手段が記憶するデータの全データ量より大きいと判断すると、通知手段に携帯端末のユーザへの警告を通知させるものであってもよい。
【００３２】
また、データバックアップ装置において、制御手段は、携帯端末から充電装置を介してデータを読み出し、読み出したデータをバックアップする毎に、グループを作成し、作成したグループにデータを読み出した携帯端末に対応する端末ＩＤを付与し、読み出したデータとともに端末ＩＤをグループ毎にデータ記憶手段に記憶させ、バックアップしたデータを携帯端末に復元する際に、データ記憶手段が記憶するデータに対応するグループのうち、復元先の携帯端末に対応する端末ＩＤと合致する端末ＩＤが付与されているグループを特定し、データ記憶手段が記憶するデータのうち、特定したグループに対応するデータを携帯端末に復元するものであってもよい。
【００３３】
本発明によるデータバックアップシステムは、携帯端末と、携帯端末の充電装置を介して携帯端末に接続され、携帯端末が記憶するデータをバックアップするデータバックアップ装置とを備え、データバックアップ装置は、データを記憶するデータ記憶手段を含み、携帯端末は、携帯端末からデータ記憶手段にデータをバックアップする際に、携帯端末を識別するための端末ＩＤと、データバックアップ装置を識別するための装置ＩＤとに基づいて、バックアップを識別するためのバックアップＩＤを生成するバックアップＩＤ生成手段（例えば、ＣＰＵ３７によって実現される）と、バックアップＩＤ生成手段が生成したバックアップＩＤを記憶するＩＤ記憶手段（例えば、データ記憶手段３４ａによって実現される）と、携帯端末にバックアップ済みデータを復元する際に、ＩＤ記憶手段がバックアップＩＤを記憶しているか否かを判断するＩＤ有無判断手段（例えば、ＣＰＵ３７によって実現される）と、ＩＤ有無判断手段がバックアップＩＤを記憶していると判断すると、ＩＤ記憶手段が記憶するバックアップＩＤが、携帯端末に対応する端末ＩＤと、データバックアップ装置に対応する装置ＩＤとに基づいて生成したＩＤであるか否かを判断するＩＤ判断手段（例えば、ＣＰＵ３７によって実現される）と、ＩＤ判断手段が、ＩＤ記憶手段が記憶するバックアップＩＤが、携帯端末に対応する端末ＩＤと、データバックアップ装置に対応する装置ＩＤとに基づいて生成したＩＤであると判断すると、データ記憶手段から携帯端末へのデータの復元を実行するデータ復元手段（例えば、ＣＰＵ３７によって実現される）とを含むことを特徴とする。
【００３４】
また、データバックアップシステムは、携帯端末と、携帯端末の充電装置を介して携帯端末に接続され、携帯端末が記憶するデータをバックアップするデータバックアップ装置とを備え、データバックアップ装置は、データを記憶するデータ記憶手段と、充電装置を介して携帯端末が記憶するデータを読み出し、読み出したデータをデータ記憶手段に書き込む制御手段とを含み、携帯端末は、携帯端末からデータ記憶手段にデータをバックアップする際に、携帯端末を識別するための端末ＩＤと、データバックアップ装置を識別するための装置ＩＤとに基づいて、バックアップを識別するためのバックアップＩＤを生成するバックアップＩＤ生成手段と、バックアップＩＤ生成手段が生成したバックアップＩＤを記憶するＩＤ記憶手段とを含み、制御手段は、携帯端末にバックアップ済みデータを復元する際に、携帯端末がバックアップＩＤを記憶しているか否かを判断し、携帯端末がバックアップＩＤを記憶していると判断すると、携帯端末が記憶するバックアップＩＤが、携帯端末に対応する端末ＩＤと、データバックアップ装置に対応する装置ＩＤとに基づいて生成したＩＤであるか否かを判断し、携帯端末が記憶するバックアップＩＤが、携帯端末に対応する端末ＩＤと、データバックアップ装置に対応する装置ＩＤとに基づいて生成したＩＤであると判断すると、データ記憶手段から携帯端末へのデータの復元を実行するものであってもよい。
【００３５】
本発明によるデータバックアップ方法は、携帯端末が記憶するデータをバックアップするデータバックアップ方法であって、携帯端末の充電装置を介して携帯端末に接続されるデータバックアップ装置が、充電装置を介して、携帯端末が記憶するデータを読み出すステップと、データバックアップ装置が、データ記憶手段に対して、読み出したデータの書き込みを実行するステップとを含むことを特徴とする。
【００３６】
本発明によるデータ復元方法は、バックアップしたデータを携帯端末に復元するデータ復元方法であって、携帯端末の充電装置を介して携帯端末に接続されるデータバックアップ装置が、バックアップしたデータをデータ記憶手段から読み出すステップと、データバックアップ装置が、充電装置を介して、読み出したデータの携帯端末への書き込みを実行するステップとを含むことを特徴とする。
【発明の効果】
【００３７】
本発明によれば、データバックアップ装置を用いて携帯端末が記憶するデータをバックアップするために、充電装置を介してデータバックアップ装置と携帯端末とを接続するように構成する。そのため、携帯端末の機種に関わらず、データバックアップ装置と充電装置との間の接続部の形状や仕様を共通化することができる。従って、携帯端末の機種に関わらず、携帯端末が記憶するデータをバックアップすることができる。
【００３８】
また、本発明によれば、充電装置に携帯端末を載せるだけで、携帯端末の充電中にデータのバックアップを行うことができる。そのため、ユーザが、バックアップのために特別な作業を行うことを不要とすることができる。また、十分に長い充電時間を利用することによって、ユーザが、バックアップのための待ち時間を意識する必要もなくすことができる。また、携帯端末毎に異なる可能性がある充電用端子及びデータ転送用端子の形状や電圧値等の違いを、充電装置を介して吸収することができる。そのため、携帯端末側の設計に高い自由度を保ちつつ、充電装置とデータバックアップ装置との設計を、携帯端末の設計（例えば、端子形状の設計）と独立に行うことができる。
【００３９】
また、本発明において、バックアップ元の携帯端末とは別の携帯端末にバックアップデータを復元させようとしても、バックアップ元の携帯端末だけにデータの復元を行うように制御するようにしてもよい。また、バックアップ元の携帯端末から端末ＩＤと専用のバックアップＩＤとをともに移行させた端末以外の端末に、データの復元をできないように制御するようにしてもよい。また、バックアップＩＤを携帯端末の端末ＩＤとデータバックアップ装置の装置ＩＤとに基づいて生成すれば、バックアップＩＤの改竄を困難にすることができる。また、簡単な仕組みでありながら、バックアップデータの不正コピーを防ぐことができる。
【００４０】
また、本発明において、バックアップＩＤを用いるようにすれば、データバックアップ装置が携帯端末の識別を行なうことができる。また、データバックアップ装置自体が、携帯端末の端末ＩＤを記憶しておく必要をなくすことができる。そのため、データバックアップ装置が、データ記憶手段にデータをバックアップするようにすれば、データバックアップ装置自体の耐タンパ性が低くても、携帯端末の端末ＩＤやバックアップＩＤを読み取られることをなくすことができる。また、携帯端末側に、バックアップや復元のための特別な機能を備える必要もなくすことができる。
【００４１】
また、本発明において、データバックアップ装置がデータ記憶手段を備えるようにすれば、携帯端末がデータ記憶手段を備える場合と比べて、携帯端末を軽量に構成することができる。また、バックアップデータとともに携帯端末を紛失する危険性をなくすことができる。
【００４２】
また、本発明において、携帯端末が記憶するデータの中に、携帯端末のユーザのプライバシ情報が、所定のデータ量以上の含まれている場合にのみ、バックアップを許可するようにしてもよい。また、プライバシ情報と有料コンテンツとを分割せずに復元するようにしてもよい。データの復元を行った後、十分な時間が経過した場合だけ、データの復元を再度許可するようにしてもよい。そのようにすれば、データバックアップ装置を利用した有料コンテンツの不正な複製を防止することができる。
【発明を実施するための最良の形態】
【００４３】
実施の形態１．
以下、本発明の第１の実施の形態を図面を参照して説明する。図１は、本発明によるデータバックアップ装置を用いてデータのバックアップ及び復元を行う場合のハードウェア構成を示す説明図である。図１に示すように、本実施の形態では、データバックアップ装置１に充電装置２を接続し、充電装置２に携帯端末３を装着する。すなわち、本実施の形態では、データバックアップ装置１は、充電装置２を介して携帯端末３に接続される。なお、本実施の形態では、データバックアップ装置１、充電装置２及び携帯端末３によって、携帯端末３が記憶するデータをバックアップするデータバックアップシステムが実現されている。
【００４４】
まず、図１に示すデータバックアップ装置１を用いたデータバックアップ方法及びデータ復元方法を理解しやすくするために、これに類する従来技術に基づいて、データのバックアップや復元を行う場合を説明する。図２は、従来技術に基づいて、データのバックアップ及び復元を行う場合のハードウェア構成を示す説明図である。
【００４５】
図２に示すように、従来技術に基づいて携帯端末に蓄積されるデータをバックアップする場合、まず、携帯端末９３を、接続ケーブル９５を介してパーソナルコンピュータ９４に接続する。そして、パーソナルコンピュータ９４上で動作するアプリケーションソフトウェア９６を用いて、バックアップ処理を行う。
【００４６】
また、別のバックアップ手段として、携帯端末に外部記憶媒体（例えば、ＳＤメモリカードやメモリースティック（登録商標））を装着してバックアップを行うこともできる。この場合、携帯端末内の特定の種類のデータ（例えば、電話帳データや画像、音声データ）を、それら外部記憶媒体を用いて、メモリーカード・リーダ／ライタを搭載したパーソナルコンピュータや外部記憶装置にコピーさせる。しかし、これらのバックアップ手段を用いた場合、携帯端末と他の機器や外部記憶媒体とを接続する作業や、人手によるバックアップ操作を行う必要があり、利用者の手間がかかる。
【００４７】
図２に示す従来方式によるバックアップ処理を行える装置として、接続ケーブル９５を用いて、バックアップ処理とともに携帯端末９３の充電もすることができる製品が市販されている。ただし、一般に、そのようなバックアップとともに充電が可能な製品は、接続ケーブル９５として、ＵＳＢケーブル等の電力供給能力の低い接続手段が用いている。そのため、携帯端末専用の充電手段を用いる場合と比べて、充電に時間がかかる。
【００４８】
携帯端末の効率的な充電を行える方法として、ＡＣアダプタを備えた各携帯端末専用のケーブルを、携帯端末自体に装着して充電する方法がある。また、最近では、携帯端末を載せるだけで充電ができる架台（一般に、クレードルと呼ばれている）が、各携帯端末に付属して販売され、又は携帯端末とは別に販売されている。
【００４９】
充電用のクレードルに携帯端末内データのバックアップ機能を備えるようにした場合（例えば、特許文献１参照）、一般に、携帯端末が備える充電用端子の位置や端子周りの形状、充電のための電圧値等は、各携帯端末によって異なる。そのため、クレードルにバックアップ機能を備えるようにした場合、携帯端末の種類毎に、充電機能とバックアップ機能との両方を備えたクレードルを用意する必要がある。一般に、携帯端末の形状は、その携帯端末の機能や技術の進歩、消費者ニーズの変化等によって頻繁に変化する。そのため、携帯端末に直接接続するクレードルに、高価な外部記憶装置や制御回路を含んだバックアップ機能を組み込むことは得策ではない。
【００５０】
これに対して、図１に示すデータバックアップ装置１を用いて携帯端末３が記憶するデータをバックアップする場合、データバックアップ装置１は、充電装置２を介して携帯端末３に接続される。図１に示すように、本実施の形態では、充電装置２が電源コンセント２１を備え、データバックアップ装置１は、充電装置２から電力の供給を受ける。また、図１に示すように、本実施の形態では、データバックアップ装置１は、外部記憶媒体１３Ａ（例えば、ＳＤメモリカード）を装着できる。そして、データバックアップ装置１に装着する外部記憶媒体１３Ａを取り替えることによって、携帯端末３が記憶するデータを何度もバックアップしたり、別の携帯端末３のデータをバックアップすることもできる。
【００５１】
図１に示すように、本実施の形態では、充電装置２の形状を各携帯端末の形状（例えば、接続端子の形状）に合わせるとともに、充電装置２の接続端子の形状をデータバックアップ装置１の接続端子の形状にも合わせる必要がある。ここで、充電装置２には、携帯端末３とデータバックアップ装置１とのそれぞれに電力を供給するための配線及び接続端子があればよい。また、充電装置２には、携帯端末３とデータバックアップ装置１との間でデータ転送を行なうための配線と接続端子があればよい。従って、充電装置２は、外観設計上の制約が少なく、データバックアップ装置１とは独立に低コストで生産可能である。そのような構成により、携帯端末３に用いられる充電装置２は、従来の充電装置と同様に、携帯端末３の付属品として、又は安価な別売りオプション品として提供可能である。
【００５２】
本実施の形態において、充電装置２は、携帯端末３の機種毎に、専用の装置として製作される。従って、充電装置２が備える接続端子のうち、携帯端末３側に接続する接続端子の形状や仕様（例えば、電力値）は、携帯端末３の機種毎に異なる。ただし、本実施の形態において、充電装置２が備える接続端子のうち、データバックアップ装置１側に接続する接続端子の形状や仕様は、携帯端末３の機種に関わらず共通である。
【００５３】
一般に、データバックアップ装置１は、充電装置２よりコスト（例えば、製造コスト）が高くなる。本実施の形態では、データバックアップ装置１と充電装置２との間の接続端子の形状や仕様が共通化されているので、携帯端末３の交換に伴って充電装置２も交換しなければならない場合であっても、同一のデータバックアップ装置１を利用することができる。
【００５４】
更に、図１に示すデータバックアップ装置１を用いれば、データバックアップ装置１と充電装置２との間の接続端子の形状や仕様が共通化されているので、データバックアップ後に携帯端末３を交換した場合であっても、バックアップ済みのデータを交換後の携帯端末３に容易に復元することができる。
【００５５】
また、携帯端末３が記憶するデータをバックアップする必要がない場合には、携帯端末３と充電装置２とを接続することによって、携帯端末３の充電のみを行うこともできる。そのようにすることによって、データバックアップをする必要がない場合（例えば、数日間のみの外出時）には、携帯端末３及び充電装置２のみを携行すればよい。
【００５６】
次に、それぞれ、データバックアップ装置１、充電装置２及び携帯端末３の構成について図面を参照して説明する。図３は、データバックアップ装置１、充電装置２及び携帯端末３の構成の一例を示すブロック図である。
【００５７】
携帯端末３は、例えば、携帯電話機やＰＨＳ等の端末である。図３に示すように、携帯端末３は、電池３３と、充電手段３２と、電力供給手段３１と、電源接続手段３５と、記憶手段３４と、データ接続手段３６とを含む。
【００５８】
充電手段３２は、具体的には、携帯端末３が搭載する充電回路である。充電手段３２は、携帯端末３に装着された電池３３を充電する機能を備える。電力供給手段３１は、具体的には、携帯端末３が搭載する電源回路である。電力供給手段３１は、携帯端末３が内蔵する各回路に電力を供給する機能を備える。例えば、電力供給手段３１は、携帯端末３が充電手段３２として搭載する充電回路に電力を供給する。
【００５９】
電源接続手段３５は、具体的には、携帯端末３が備えるコネクタ等の接続部である。電源接続手段３５は、充電装置２からの電力を、電力供給手段３１に伝える機能を備える。
【００６０】
記憶手段３４は、具体的には、携帯端末３が搭載するメモリ等の記憶装置である。記憶手段３４は、携帯端末３に登録される種々のデータを記憶する。例えば、記憶手段３４は、電話帳データや電子メールデータ、携帯電話機用のアプリケーションソフトウェア、画像、音声データ等を記憶する。
【００６１】
データ接続手段３６は、具体的には、携帯端末３が備えるコネクタ等の接続部である。データ接続手段３６は、記憶手段３４に対して、データの読み出しを行ったり、携帯端末３の外部からのデータの書き込みを行なったりするために用いられる。
【００６２】
なお、図３では、記載を省略しているが、データバックアップを行う際には、具体的には、プログラムに従って動作する携帯端末３のＣＰＵが、記憶手段３４が記憶するデータを読み出す。そして、携帯端末３のＣＰＵは、読み出したデータを、データ接続手段３６を用いて、充電装置２を介してデータバックアップ装置１に送信する。また、データ復元を行う際には、携帯端末３のＣＰＵは、データ接続手段３６を用いて、データバックアップ装置１から充電装置２を介してデータを受信する。そして、携帯端末３のＣＰＵは、受信したデータを記憶手段３４に書き込む。
【００６３】
図３に示すように、充電装置２は、電源コンセント２１と、電源接続手段２３，２５と、分流手段２２と、データ接続手段２４，２６とを含む。
【００６４】
電源接続手段２３及び電源接続手段２５は、具体的には、携帯端末３が備えるコネクタ等の接続部である。電源接続手段２３は、電源コンセント２１からの電力を携帯端末３に供給する機能を備える。また、電源接続手段２５は、電源コンセント２１からの電力をデータバックアップ装置１に供給する機能を備える。なお、本実施の形態では、データバックアップ装置１側に接続される電源接続手段２５は、携帯端末３の機種に関わらず、形状や仕様が共通である。
【００６５】
分流手段２２は、具体的には、充電装置２が搭載する電源分配回路である。分流手段２２は、電源コンセント２１からの電力を２つに分配する機能を備える。また、分流手段２２は、分配した一方の電力を電源接続手段２３側に供給し、他の一方の電力を電源接続手段２５側に供給する機能を備える。
【００６６】
データ接続手段２４及びデータ接続手段２６は、具体的には、携帯端末３が備えるコネクタ等の接続部である。本実施の形態では、データ接続手段２４及びデータ接続手段２６は、携帯端末３とデータバックアップ装置１との間で、データの交換（データの送受信）を行なうために用いられる。なお、本実施の形態では、データバックアップ装置１側に接続されるデータ接続手段２６は、携帯端末３の機種に関わらず、形状や仕様が共通である。
【００６７】
図３に示すように、データバックアップ装置１は、電源接続手段１５と、電力供給手段１１と、データ接続手段１６と、制御手段１２と、データ記憶手段１３と、プログラム記憶手段１４と、設定手段１７と、通知手段１８とを含む。
【００６８】
電源接続手段１５は、具体的には、データバックアップ装置１が備えるコネクタ等の接続部である。電源接続手段１５は、充電装置２から供給される電力を電力供給手段１１に伝える機能を備える。
【００６９】
電力供給手段１１は、具体的には、データバックアップ装置１が搭載する電源回路である。電力供給手段１１は、充電装置２から供給された電力を、データバックアップ装置１が内蔵する各回路（例えば、制御手段１２）に供給する機能を備える。
【００７０】
データ接続手段１６は、具体的には、データバックアップ装置１が備えるコネクタ等の接続部である。データ接続手段１６は、制御手段１２が、充電装置２を介して携帯端末３との間でデータの交換（データの送受信）を行なうために用いられる。本実施の形態ではデータ接続手段１６は、制御手段１２が、充電装置２を介して、携帯端末３から読み出されたデータを受信するために用いられる。また、データ接続手段１６は、制御手段１２が、携帯端末３に対して書き込むべきデータを、充電装置２を介して携帯端末３に送信するために用いられる。
【００７１】
制御手段１２は、具体的には、プログラムに従って動作するＣＰＵである。制御手段１２は、携帯端末３とのデータの交換処理を含む様々な処理を実行する機能を備える。本実施の形態では、制御手段１２は、プログラム記憶手段１４が記憶するプログラムに従って、各種処理を実行する。
【００７２】
制御手段１２は、データバックアップを行う際に、データ接続手段１６を用いて、充電装置２を介して、データバックアップ装置１が携帯端末３に接続されたことを検出する。また、制御手段１２は、データバックアップ装置１が携帯端末３に接続されたことを検出すると、データ接続手段１６を用いて、充電装置２を介して携帯端末３が記憶するデータを読み出す。また、制御手段１２は、データ記憶手段１３に対して、携帯端末３から読み出したデータの書き込みを実行する。
【００７３】
また、制御手段１２は、データの復元を行う際に、データ記憶手段１３からデータを読み出す。また、制御手段１２は、データ接続手段１６を用いて、充電装置２を介して、データ記憶手段１３から読み出したデータの携帯端末３への書き込みを実行する。
【００７４】
データ記憶手段１３は、具体的には、外部記憶媒体１３Ａを装着可能なデータ読取装置である。例えば、データ記憶手段１３は、外部記憶媒体１３ＡとしてＳＤメモリカードを装着可能なカードリーダ／ライタである。データ記憶手段１３は、制御手段１２の指示に従って、外部記憶媒体１３Ａにデータを書き込む機能を備える。また、データ記憶手段１３は、制御手段１２の指示に従って、外部記憶媒体１３Ａからデータを読み込む機能を備える。本実施の形態では、データ記憶手段１３は、例えば、データバックアップの際に、携帯端末３内のデータを外部記憶媒体１３Ａに保存するために用いられる。
【００７５】
なお、本実施の形態では、「制御手段１２がデータ記憶手段１３にデータを記憶させる」等の表現を用いるが、実際には、データ読取装置であるデータ記憶手段１３が、制御手段１２の指示に従って、外部記憶媒体１３Ａにデータを書き込む。
【００７６】
プログラム記憶手段１４は、具体的には、データバックアップ装置１が搭載するメモリ等の記憶装置である。プログラム記憶手段１４は、制御手段１２が実行する各種処理内容を含むプログラムを記憶する。
【００７７】
設定手段１７は、ユーザの操作に従って、データバックアップ装置１の動作モードの切り替えを行なう機能を備える。本実施の形態では、設定手段１７は、ユーザの操作に従って、携帯端末３のデータを読み出してデータ記憶手段１３にバックアップする動作モード（以下、バックアップモードともいう）に設定する。また、設定手段１７は、ユーザの操作に従って、データ記憶手段１３にバックアップしたデータを再び携帯端末３に書き込んで復元する動作モード（以下、リストアモードともいう）に設定する。
【００７８】
通知手段１８は、データバックアップ装置１の様々な状態を利用者に伝える（通知する）機能を備える。例えば、通知手段１８は、現在の動作モードがバックアップモードであるか、リストアモードであるかを表示する機能を備える。
【００７９】
設定手段１７の具体例について説明する。図４は、設定手段１７の例を示す説明図である。本実施の形態では、データバックアップ装置１は、設定手段１７として、例えば、図１及び図４に示すように、切り替えスイッチの形状をしたユーザインタフェースを有する操作部を備える。ユーザは、設定手段１７のスイッチを操作して、バックアップモードとリストアモードとの２モードの動作モードを設定できる。また、図４に示すように、バックアップモード及びリストアモードに、バックアップ及び復元のいずれの処理も実行しない動作モードである無効モードを加えた３モードを設定できるようにしてもよい。
【００８０】
なお、図４では、設定手段１７が、スイッチ４１に３状態を切り替えるためのつまみ部４２が組み込まれた構造である場合を示しているが、設定手段１７の具体的な構造は、本実施の形態で示したものに限られない。例えば、設定手段１７は、各モードに対応したボタンを配置した操作部を備えてもよい。また、設定手段１７は、例えば、テンキー等の操作部によって実現されてもよい。
【００８１】
また、通知手段１８の具体例について説明する。通知手段１８は、例えば、図１に示すように、１つの発光ダイオードを用いた簡易なユーザインタフェースを有する表示部を備える。そして、通知手段１８は、発光する色や明滅パタンの違いによって、データバックアップ装置１の複数の状態を利用者に伝える。
【００８２】
なお、通知手段１８は、発光ダイオードに限らず、例えば、液晶ディスプレイ装置等によって実現されてもよい。また、通知手段１８は、外部から視認できるユーザインタフェースをもたず、例えば、スピーカ等の音声出力装置によって実現されてもよい。この場合、通知手段１８は、音声のみを用いて、データバックアップ装置１の状態をユーザに伝えてもよい。また、通知手段１８は、音声出力装置と、発光ダイオード又は液晶ディスプレイ装置とを併用して、データバックアップ装置１の状態を通知してもよい。
【００８３】
また、図１及び図３では、充電装置２が携帯端末３及びデータバックアップ装置１に電力を供給する場合を示したが、充電装置２を単に携帯端末３とデータバックアップ装置１とを接続するためのアダプタとして用いてもよい。この場合、電源コンセントを充電装置２ではなくデータバックアップ装置１が備え、データバックアップ装置１は、自ら備える電源コンセントを用いて直接電力を得るようにしてもよい。ただし、電源コンセントをデータバックアップ装置１側に備えた場合、データバックアップをする必要がない場合（例えば、数日間のみの外出時）であっても、データバックアップ装置１も携行しなければならなくなる。
【００８４】
また、図１では、データ記憶手段１３が外部記憶媒体１３Ａを装着可能なデータ読取装置である場合を示したが、データ記憶手段１３は、本実施の形態で示したものに限られない。例えば、データ記憶手段１３は、データバックアップ装置１が内蔵するハードディスク装置やフラッシュメモリ等の記憶装置であってもよい。また、データバックアップ装置１は、データ記憶手段１３として、ハードディスク装置やフラッシュメモリ等の記憶装置と、外部記憶媒体１３Ａを装着可能なデータ読取装置とを併用して用いてもよい。
【００８５】
また、図３では、携帯端末３が電力供給手段３１及び充電手段３２を備える場合を示したが、充電装置２が、電力供給手段及び充電手段をそれぞれ搭載してもよい。
【００８６】
次に、データバックアップ装置１がバックアップ及び復元の処理を行う動作について説明する。図５は、データバックアップ装置１が行うバックアップ及び復元の処理の一例を示すフローチャートである。
【００８７】
まず、ユーザは、携帯端末３の充電を行うとともに、携帯端末３が記憶するデータのバックアップ又は復元をしたい場合、データバックアップ装置１を充電装置２に接続し、携帯端末３を充電装置２に装着する。データバックアップ装置１の制御手段１２は、データ接続手段１６を通じて、充電装置２を介して携帯端末３と接続されたことを検知する。この場合、例えば、制御手段１２は、接続コネクタであるデータ接続手段１６の導通を検出することによって、携帯端末３が充電装置２を介して接続されたことを検出する。
【００８８】
携帯端末３の接続を検出すると、制御手段１２は、まず、設定手段１７によって、動作モードがバックアップモードに設定されているか否かを判定する（ステップＳ１０１）。バックアップモードに設定されていると判定すると、制御手段１２は、携帯端末３からのデータをデータ記憶手段１３にコピーさせるデータコピー処理を実行する（ステップＳ１０２）。すなわち、制御手段１２は、携帯端末３からデータ記憶手段１３へのデータのバックアップを行う。
【００８９】
ステップＳ１０２において、例えば、制御手段１２は、バックアップ対象のデータの送信要求を、充電装置２を介して携帯端末３に送信する。すると、携帯端末３は、記憶手段３４からデータの読み出しを開始し、充電装置２を介してデータバックアップ装置１に送信する。制御手段１２は、携帯端末３から、充電装置２を介してバックアップ対象のデータを受信する。また、制御手段１２は、受信したデータのバックアップをデータ記憶手段１３に指示する。そして、データ記憶手段１３は、制御手段１２の指示に従って、受信したデータを外部記憶媒体１３Ａに記憶させる。
【００９０】
データコピー処理が完了すると、制御手段１２は、ステップＳ１０２で行ったバックアップ処理を識別するためのバックアップＩＤを生成する（ステップＳ１０３）。そして、制御手段１２は、生成したバックアップＩＤの携帯端末３への書き込み処理を実行する（ステップＳ１０４）。この場合、制御手段１２は、生成したバックアップＩＤを、充電装置２を介して携帯端末３に送信する。すると、携帯端末３は、データバックアップ装置１から充電装置２を介して受信したバックアップＩＤを、記憶手段３４に書き込む。すなわち、制御手段１２は、生成したバックアップＩＤを、充電装置２を介して携帯端末３に記憶させる。
【００９１】
携帯端末３へのバックアップＩＤの書き込み処理を完了すると、制御手段１２は、バックアップモードにおけるデータバックアップ処理を終了する。
【００９２】
ステップＳ１０１で設定手段１７によって設定された動作モードがバックアップモードではないと判定した場合、制御手段１２は、設定されている動作モードがリストアモードであるか否かを判定する（ステップＳ１０５）。リストアモードに設定されていないと判定した場合（例えば、動作モードが適切に設定されていない場合や無効モードに設定されている場合）、制御手段１２は、そのまま全ての処理を終了する。すなわち、制御手段１２は、設定手段１７によって無効モードに設定されていると判断すると、携帯端末３からデータ記憶手段１３へのデータのバックアップ、及びデータ記憶手段１３から携帯端末３へのデータの復元のいずれも実行しないように制御する。この場合、制御手段１２は、動作モードの設定が適切に行なわれていなかった旨を、通知手段１８を用いてユーザに通知してもよい。
【００９３】
動作モードがリストアモードであると判定した場合、制御手段１２は、携帯端末３から、携帯端末３を識別するための端末ＩＤと、携帯端末３が記憶するバックアップＩＤとを読み出す処理を実行する（ステップＳ１０６）。この場合、制御手段１２は、端末ＩＤ及びバックアップＩＤの送信要求を、充電装置２を介して携帯端末３に送信する。すると、携帯端末３は、記憶手段３４から端末ＩＤ及びバックアップＩＤを抽出し、充電装置２を介してデータバックアップ装置１に送信する。そして、制御手段１２は、端末ＩＤ及びバックアップＩＤを、充電装置２を介して携帯端末３から受信する。
【００９４】
制御手段１２は、携帯端末３からの端末ＩＤと、データバックアップ装置１自身が記憶するデータバックアップ装置１を識別するための装置ＩＤとを用いて、携帯端末３からのバックアップＩＤが正しいか否かを判定する（ステップＳ１０７）。バックアップＩＤが正しくないと判定した場合、制御手段１２は、データ復元処理を行うことなく、そのまま処理を終了する。なお、携帯端末３からバックアップＩＤを読み出せなかった場合も、制御手段１２は、データ復元処理を行うことなく、そのままリストアモードの処理を終了する。この場合、制御手段１２は、バックアップＩＤが正しくなかった旨や、携帯端末３からバックアップＩＤを読み出せなかった旨を、通知手段１８を用いてユーザに通知してもよい。
【００９５】
本実施の形態では、ステップＳ１０７において、制御手段１２は、携帯端末３がバックアップＩＤを記憶しているか否かを判断する。携帯端末３がバックアップＩＤを記憶していると判断すると、制御手段１２は、携帯端末３が記憶するバックアップＩＤが、携帯端末３に対応する端末ＩＤと、データバックアップ装置１に対応する装置ＩＤとに基づいて生成したＩＤであるか否かを判断する。そして、制御手段１２は、携帯端末３が記憶するバックアップＩＤが、携帯端末３に対応する端末ＩＤと、データバックアップ装置１に対応する装置ＩＤとに基づいて生成したＩＤであると判断すると、バックアップＩＤが正しいと判定する。
【００９６】
ステップＳ１０７でバックアップＩＤが正しいと判定した場合、制御手段１２は、データ記憶手段１３によってバックアップされているデータの携帯端末３へのデータコピー処理（データ復元処理）を実行する（ステップＳ１０８）。すなわち、制御手段１２は、設定手段１７によって動作モードがリストアモードに設定されていると判断し、データ記憶手段１３から携帯端末３へのデータの復元を行う。この場合、制御手段１２は、外部記憶媒体１３Ａがバックアップデータとして記憶するデータを、データ記憶手段１３に読み出させる。そして、制御手段１２は、データ記憶手段１３が読み出したデータを、充電装置２を介して携帯端末３に送信する。すると、携帯端末３は、データバックアップ装置１から充電装置２を介してデータを受信し、受信したデータを記憶手段３４に書き込む。
【００９７】
データコピー処理が完了すると、制御手段１２は、リストアモードにおける処理を終了する。
【００９８】
次に、ステップＳ１０３で、制御手段１２がバックアップＩＤを生成する方法を説明する。図６は、制御手段１２がバックアップＩＤを生成する方法の例を示す説明図である。バックアップＩＤは、例えば、図６に示すように、携帯端末の端末ＩＤ３０１とデータバックアップ装置の装置ＩＤ３０２とを用いて生成することができる。例えば、制御手段１２は、それぞれ端末ＩＤと装置ＩＤとを結合して１つの文字列を作成し、作成した文字列のハッシュ値３０３を生成する。この場合、制御手段１２は、例えば、最も一般的なハッシュ値の生成アルゴリズムであるＳＨＡ−１を用いて、４０バイトのバックアップＩＤ３０４を生成する。
【００９９】
上記に示す方法で生成したバックアップＩＤを、例えば、携帯端末３が携帯電話機である場合、その携帯電話機の持ち主のアドレス情報のメモ欄に記録しておくことによって、機種変更時であってもデータの復元が可能となる。また、生成したバックアップＩＤを、空いている複数のアドレス情報の氏名欄等に記録しておくことによって、機種変更時であってもデータの復元が可能となる。
【０１００】
なお、ユーザが、設定手段１７を操作して、バックアップモードかリストアモードかを指定する際に、誤って逆のモードに設定してしまうこともありうる。そこで、図５に示すステップＳ１０２やステップＳ１０８において、制御手段１２は、携帯端末３が記憶するデータや、データ記憶手段１３が保持するデータを参照して、誤りの可能性がある操作を検知するようにしてもよい。そして、制御手段１２は、操作の誤りを検出した場合には、通知手段１８を用いて、ユーザに警告するようにしてもよい。
【０１０１】
例えば、制御手段１２は、携帯端末３が記憶するデータを充電装置２を介して読み出すときに、読み出したデータの名前と、データを読み出した時刻を示すタイムスタンプとを対応付けてデータ記憶手段１３に記憶させる。その後、携帯端末３が記憶するデータをデータ記憶手段１３にバックアップする際に、ステップＳ１０２において、制御手段１２は、携帯端末３からデータ記憶手段１３へのデータコピーを開始する前に、携帯端末３が記憶するデータのタイムスタンプを確認する。
【０１０２】
例えば、制御手段１２は、データ記憶手段１３が過去に記憶したデータのうち、バックアップ対象のデータを名前が同じであるデータを特定する。そして、制御手段１２は、特定したデータに対応するタイプスタンプに示される時刻が、バックアップ対象のデータに対応するタイムスタンプに示される時刻と同じであるか、又は特定したデータに対応するタイムスタンプに示される時刻が、バックアップ対象のデータに対応するタイムスタンプに示される時刻より新しいと判断すると、通知手段１８に携帯端末３のユーザへの警告を通知させる。この場合、制御手段１２は、携帯端末３が記憶するデータのタイプスタンプと比べて、データ記憶手段１３が外部記憶媒体１３Ａに記憶させているデータのタイムスタンプが新しいか否か（又は、同じか否か）を判断する。タイムスタンプが新しい（又は、同じである）と判断した場合、制御手段１２は、バックアップの必要がない可能性が高いと判断して、通知手段１８によって、音声や特定の色の光、文字等を用いてユーザに警告してもよい。
【０１０３】
なお、携帯端末３が記憶するデータは一般に複数のファイルから構成されているので、制御手段１２は、同じファイル名のファイル同士でタイムスタンプを比較する。また、制御手段１２は、バックアップの必要がない可能性の高いファイルが見つかれば、バックアップの必要がないファイルを見つける毎に、ユーザに警告してもよい。また、制御手段１２は、全てのファイルのタイムスタンプを比較して、１つでもバックアップの必要がない可能性の高いファイルが見つかれば、一度だけ纏めてユーザに警告するようにしてもよい。
【０１０４】
また、例えば、ステップＳ１０８において、制御手段１２は、データ記憶手段１３から携帯端末３へのデータコピーを開始する前に、データ記憶手段１３が外部記憶媒体１３Ａに記憶させている全データ量を確認してもよい。
【０１０５】
例えば、制御手段１２は、データ記憶手段１３が記憶するデータを携帯端末３に復元する際に、携帯端末３が記憶するデータのうち、データ記憶手段１３が記憶するデータと名前が同じであるデータを特定する。また、制御手段１２は、特定したデータの全データ量が、データ記憶手段１３が記憶するデータの全データ量と同じであるか、又は特定したデータの全データ量が、データ記憶手段１３が記憶するデータの全データ量より大きいと判断すると、通知手段１８に携帯端末３のユーザへの警告を通知させる。この場合、制御手段１２は、外部記憶媒体１３Ａが記憶する全データ量と比べて、携帯端末３が記憶する全データ量が多いか否か（又は、同じか否か）を判断する。全データ量が多い（又は、同じである）と判断した場合、制御手段１２は、データ復元の必要がない可能性が高いと判断して、通知手段１８によって、音声や特定の色の光、文字等を用いてユーザに警告してもよい。
【０１０６】
また、以上に示すように、ユーザに対して警告を発する場合、警告に対してユーザが応答する手段を設けてもよい。例えば、図１及び図４に示した設定手段１７のスイッチをユーザが逆側に入れる操作を行うと、制御手段１２は、ユーザが警告に対して了承したと判断してもよい。逆に、ユーザが何の操作も行うことなく所定時間以上（例えば１０秒）経過した場合、制御手段１２は、データコピー処理を中断し、バックアップ処理又は復元処理を終了するようにしてもよい。また、警告に応じずにバックアップ処理や復元処理を継続したい場合には、例えば、図１及び図４に示した設定手段１７のスイッチを一旦逆側に入れて再び元の側に入れなおす操作を、ユーザが合計２秒以内に行なうようにしてもよい。そして、そのようなユーザの処理継続の指示操作に従って、制御手段１２は、処理を継続すると判定し、バックアップ処理又はデータ復元処理を継続してもよい。
【０１０７】
以上のように、本実施の形態によれば、データバックアップ装置１を用いて携帯端末３が記憶するデータをバックアップするために、充電装置２を介してデータバックアップ装置１と携帯端末３とを接続するように構成する。そのため、携帯端末３の機種に関わらず、データバックアップ装置１と充電装置２との間の接続部の形状や仕様を共通化することができる。従って、携帯端末３の機種に関わらず、携帯端末３が記憶するデータをバックアップすることができる。また、携帯端末３の故障や紛失、買い替え等に伴う端末の変更の際に、端末の変更後に唯一の携帯端末に対してのみ、簡易な手段を用いてバックアップデータを復元することができる。また、携帯端末３に保存されているデータを日常的に容易にバックアップでき、且つ必要時に簡易な手段を用いて容易にデータを復元することができる。
【０１０８】
また、本実施の形態によれば、充電装置２（例えば、充電用クレードル）に携帯端末３を載せるだけで、携帯端末３の充電中にデータのバックアップを行うことができる。そのため、ユーザが、バックアップのために特別な作業を行うことを不要とすることができる。また、十分に長い充電時間を利用することによって、ユーザが、バックアップのための待ち時間を意識する必要もなくすことができる。また、携帯端末３毎に異なる可能性がある充電用端子及びデータ転送用端子の形状や電圧値等の違いを、充電装置２（充電用クレードル）を介して吸収することができる。そのため、携帯端末３側の設計に高い自由度を保ちつつ、充電装置２（充電用クレードル）とデータバックアップ装置１（バックアップ用クレードル）との設計を、携帯端末３の設計（例えば、端子形状の設計）と独立に行うことができる。
【０１０９】
また、本実施の形態によれば、データバックアップ装置１は、バックアップ元の携帯端末３とは別の携帯端末にバックアップデータを復元させようとしても、バックアップ元の携帯端末３だけにデータの復元を行うように制御する。また、データバックアップ装置１は、バックアップ元の携帯端末３から端末ＩＤと専用のバックアップＩＤとをともに移行させた端末以外の端末に、データの復元をできないように制御する。バックアップＩＤを携帯端末３の端末ＩＤとデータバックアップ装置の装置ＩＤとに基づいて、ハッシュ値として生成すれば、バックアップＩＤの改竄を困難にすることができる。また、簡単な仕組みでありながら、バックアップデータの不正コピーを防ぐことができる。
【０１１０】
また、本実施の形態によれば、バックアップＩＤを用いることによって、データバックアップ装置１が携帯端末３の識別を行なうことができる。また、データバックアップ装置１自体が、携帯端末３の端末ＩＤを記憶しておく必要をなくすことができる。そのため、データバックアップ装置１が、メモリカードのリーダ／ライタを備えてメモリカードにデータをバックアップするようにすれば、データバックアップ装置１自体の耐タンパ性が低くても、携帯端末３の端末ＩＤやバックアップＩＤを読み取られることをなくすことができる。また、携帯端末３側に、バックアップや復元のための特別な機能を備える必要もなくすことができる。
【０１１１】
さらに、本実施の形態によれば、データバックアップ装置１に、メモリカードのリーダ／ライタを備えることによって、カード携帯端末にメモリカードのリーダ／ライタを備える場合と比べて、携帯端末３を軽量に構成することができる。また、携帯端末３にメモリカードを挿入したまま、バックアップデータとともに携帯端末３を紛失する危険性をなくすことができる。
【０１１２】
実施の形態２．
次に、本発明の第２の実施の形態を図面を参照して説明する。第１の実施の形態では、バックアップ処理を行うか、データ復元処理を行うかの動作モードの設定を、設定手段１７を用いて行う場合を説明したが、本実施の形態では、データバックアップ装置１は、動作モードを自動的に判定する。
【０１１３】
なお、本実施の形態において、データバックアップ装置１を用いてデータバックアップ又はデータ復元を行う場合のハードウェア構成は、図１に示したハードウェア構成と同様である。また、本実施の形態において、データバックアップ装置１、充電装置２及び携帯端末３の構成は、図３に示したそれらの構成と同様である。
【０１１４】
図７は、データバックアップ装置１が、動作モードを自動判定する処理の一例を示すフローチャートである。本実施の形態では、データバックアップ装置１の制御手段１２は、図５に示したステップＳ１０１の処理に代えて、ステップＳ４０１からステップＳ４０４までの処理を実行する。また、本実施の形態では、制御手段１２は、図５に示したステップＳ１０５の処理に代えて、ステップＳ４０５からステップＳ４０７までの処理を実行する。
【０１１５】
まず、制御手段１２は、データ記憶手段１３が既に外部記憶媒体１３Ａにバックアップデータを記憶させているか否かを判断する（ステップＳ４０１）。すなわち、制御手段１２は、データ記憶手段１３にバックアップデータが書き込まれているか否かを判断する。外部記憶媒体１３Ａがバックアップデータを記憶していないと判断すると、制御手段１２は、そのまま動作モードをバックアップモードに設定する（ステップＳ４０４）。
【０１１６】
バックアップデータが記憶されていると判断すると、制御手段１２は、次に、外部記憶媒体１３Ａが記憶するバックアップデータが、データバックアップ装置１に現在接続されている携帯端末３から、以前バックアップしたデータであるか否かを判定する（ステップＳ４０２）。すなわち、制御手段１２は、データ記憶手段１３に書き込まれているバックアップデータが、データ接続手段１６を用いて接続を検知した携帯端末３から、過去にバックアップしたデータであるか否かを判断する。
【０１１７】
例えば、データバックアップ装置１は、データのバックアップ時に、携帯端末の端末ＩＤを、データ記憶手段１３にバックアップデータとともに予め記憶させる。そして、その携帯端末３が再びデータバックアップ装置１に接続されたときに、制御手段１２は、バックアップ時に記憶した端末ＩＤを、現在接続されている携帯端末３の端末ＩＤと照合する。そして、制御手段１２は、照合結果に基づいて、端末ＩＤが合致したか否かを判断することによって、携帯端末３を識別することができる。
【０１１８】
バックアップデータが現在接続されている携帯端末３のデータであると判断すると、制御手段１２は、現在接続されている携帯端末３が、予め定めた数以上のプライバシ情報を記憶しているか否かを判断する（ステップＳ４０３）。なお、プライバシ情報とは、例えば、メモリダイアルや受信メール、送信済みメール、スケジュール等のデータである。具体的には、ステップＳ４０３において、制御手段１２は、携帯端末３が記憶するメモリダイヤルのデータ数の送信要求を、充電装置２を介して携帯端末３に送信する。すると、携帯端末３は、データバックアップ装置１からの要求に従って、記憶手段３４に記憶するメモリダイヤルのデータ数を算出し、充電装置２を介してデータバックアップ装置１に送信する。そして、制御手段１２は、例えば、１０件以上のメモリダイアル等のデータを記憶していると判断すると、携帯端末３が十分多くのプライバシ情報を記憶していると判定する。
【０１１９】
携帯端末３が十分多く（所定数以上）のプライバシ情報を記憶していると判定すると、制御手段１２は、動作モードをバックアップモードに設定する（ステップＳ４０４）。動作モードをバックアップモードに設定すると、制御手段１２は、図５で示したステップＳ１０２の処理に移行し、データバックアップ処理を開始する。
【０１２０】
ステップＳ４０２で、バックアップデータが現在接続されている携帯端末３のデータでないと判断した場合、制御手段１２は、携帯端末３がバックアップすべきデータを記憶しているか否かを判断する。また、ステップＳ４０３で、携帯端末３が所定数以上のプライバシ情報を記憶していないと判断した場合、制御手段１２は、携帯端末３がバックアップすべきデータを記憶しているか否かを判断する（ステップＳ４０５）。例えば、制御手段１２は、携帯端末３が、メモリダイアルのデータや、受信メール、送信済みメール、携帯端末３付属のカメラで撮影した画像等を記憶しているか否かを判断する。
【０１２１】
携帯端末３がバックアップすべきデータを記憶していると判断すると、制御手段１２は、動作モードを無効モードに設定し（ステップＳ４０６）、そのまま処理を終了する。すなわち、制御手段１２は、動作モードをバックアップモード又はリストアモードのいずれにも設定しないと判断した場合、動作モードを無効モードに設定する。
【０１２２】
携帯端末３がバックアップすべきデータを記憶していないと判断すると、制御手段１２は、動作モードをリストアモードに設定する（ステップＳ４０７）。動作モードをリストアモードに設定すると、制御手段１２は、図５で示したステップＳ１０６の処理に移行し、データ復元処理を開始する。
【０１２３】
第１の実施の形態で示したように、バックアップＩＤを携帯端末３に記憶させる方法を用いれば、端末ＩＤが異なる別の携帯端末にバックアップデータを復元されることを防ぐことができる。また、携帯端末３を機種交換した場合であっても、交換後の携帯端末３に、バックアップデータを復元することができる。しかし、交換前の携帯端末３が故障した場合や、携帯端末３を紛失してしまった場合には、交換後の携帯端末３にバックアップＩＤを移行することができず、バックアップデータを復元できない。
【０１２４】
これに対して、本実施の形態では、バックアップを行う際に、携帯端末３の端末ＩＤを、データバックアップ装置１のデータ記憶手段１３に記憶させるので、交換前の携帯端末３が故障したり紛失した場合であっても、交換後の端末にデータを復元できる。
【０１２５】
実施の形態３．
次に、本発明の第３の実施の形態を図面を参照して説明する。第１の実施の形態及び第２の実施の形態では、バックアップＩＤの生成や確認をデータバックアップ装置１の制御手段１２が行なう場合を説明した。本実施の形態では、バックアップＩＤの生成や確認の処理を、携帯端末３が、プログラム（ソフトウェア）に従って行なう場合を説明する。図８は、データバックアップ装置１、充電装置２及び携帯端末３の他の構成例を示すブロック図である。図８に示すように、本実施の形態では、携帯端末３は、図３に示した構成要素に加えて、プログラム（ソフトウェア）の記憶手段、及びプログラムの実行手段を更に備える。
【０１２６】
図８に示すように、本実施の形態では、携帯端末３が、記憶手段３４に代えて、データ記憶手段３４ａ及びプログラム記憶手段３４ｂを含む点で、第１の実施の形態及び第２の実施の形態と異なる。また、本実施の形態では、携帯端末３は、第１の実施の形態及び第２の実施の形態で示した構成要素に加えて、プログラム記憶手段３５ｂが記憶するプログラム（ソフトウェア）を実行するＣＰＵ（中央演算処理装置）３７を含む。なお、データ記憶手段３４ａ及びプログラム記憶手段３４ｂは、具体的には、携帯端末３が搭載するメモリ等の記憶装置によって実現される。
【０１２７】
本実施の形態では、プログラム記憶手段３４ｂが記憶するプログラム（ソフトウェア）のうちの少なくとも１つは、バックアップＩＤに関する処理を実行可能なデータバックアップ装置利用手段として機能する。以下、データバックアップ装置利用手段として機能するプログラム（ソフトウェア）を、バックアップ用アプリケーションという。
【０１２８】
携帯端末３は、バックアップ用アプリケーションを、プログラム記憶手段３４ｂに予め記憶されていてもよい。また、携帯端末３は、バックアップ用アプリケーションを外部から取り込み、プログラム記憶手段３４ｂに記憶させてもよい。例えば、各携帯電話会社（株式会社ＮＴＴドコモやＫＤＤＩ株式会社、ボーダフォン株式会社等）が販売する携帯電話機は、通信回線を介して、アプリケーションソフトウェア（以下、単にアプリケーションともいう）をダウンロードする機能を備える。また、各携帯電話会社が販売する携帯電話機は、ダウンロードしたアプリケーションを保存したり、ユーザが使いたいときにいつでも実行できる機能を備える。そのようなダウンロード等の仕組みを用いて、バックアップ用アプリケーションを携帯電話機に取り込み、データのバックアップやリストアのために用いることができる。
【０１２９】
図９は、携帯端末３が行うバックアップ及び復元の処理の一例を示すフローチャートである。本実施の形態において、携帯端末３のＣＰＵ３７は、プログラム記憶手段３４ｂが記憶するバックアップ用アプリケーションに従って処理を実行する。図９に示すように、データのバックアップを行う場合、ＣＰＵ３７は、図５で示したステップＳ１０１からステップＳ１０４とほぼ同様の処理に従って、データバックアップ処理を行う（ステップＳ１０１ａ〜Ｓ１０４ａ）。
【０１３０】
本実施の形態では、バックアップＩＤを生成する際に、データバックアップ装置１の制御手段１２ではなく、携帯端末３のＣＰＵ３７が、バックアップ用アプリケーションに従って、バックアップＩＤを生成する。この場合、ＣＰＵ３７が、データバックアップ装置１の装置ＩＤを参照してバックアップＩＤを生成し、携帯端末３のデータ記憶手段３４ａに記憶させる点が、制御手段１２を用いてバックアップＩＤを生成する場合と異なる。例えば、ステップＳ１０３ａにおいて、ＣＰＵ３７は、装置ＩＤの送信要求を、充電装置２を介してデータバックアップ装置１に送信する。すると、データバックアップ装置１は、要求に従って、充電装置２を介して装置ＩＤを携帯端末３に送信する。そして、ＣＰＵ３７は、受信した装置ＩＤと、データ記憶手段３４ａに予め記憶する携帯端末３自身の端末ＩＤとに基づいて、バックアップＩＤを生成する。
【０１３１】
また、図９に示すようにデータの復元を行う場合、ＣＰＵ３７は、図５で示したステップＳ１０５とほぼ同様の処理に従って、リストアモードに設定されているか否かを判定する（Ｓ１０５ａ）。リストアモードに設定されていると判定すると、ＣＰＵ３７は、データバックアップ装置１からの装置ＩＤの読み出し処理を実行する（ステップＳ１０６ａ）。この場合、ＣＰＵ３７は、装置ＩＤの送信要求を、充電装置２を介してデータバックアップ装置１に送信する。すると、データバックアップ装置１は、要求に従って、充電装置２を介して装置ＩＤを携帯端末３に送信する。
【０１３２】
データバックアップ装置１から携帯端末３にデータを復元する場合、ＣＰＵ３７は、携帯端末３がバックアップＩＤを記憶しているか否かを判断する。また、バックアップＩＤを記憶していると判断すると、ＣＰＵ３７は、記憶するバックアップＩＤが、携帯端末３自身の端末ＩＤとデータバックアップ装置１の装置ＩＤとを用いて生成されたものであるか否か（バックアップＩＤが正しいか否か）を判定する（ステップＳ１０７ａ）。この場合、ＣＰＵ３７は、ステップＳ１０６ａでデータバックアップ装置１から受信した装置ＩＤを用いて、バックアップＩＤが正しいか否かを判定する。
【０１３３】
バックアップＩＤが正しいと判定すると、ＣＰＵ３７は、データバックアップ装置１のデータ記憶手段１３から携帯端末３のデータ記憶手段３４ａにデータを復元する処理を実行する（ステップＳ１０８ａ）。この場合、ＣＰＵ３７は、復元データの送信要求を、充電装置２を介してデータバックアップ装置１に送信する。すると、データバックアップ装置１の制御手段１２は、データ記憶手段１３に、外部記憶媒体１３Ａからの復元データの読み出し開始を指示する。また、制御手段１２は、データ記憶手段１３が外部記憶媒体１３Ａから読み出した復元データを、充電装置２を介して携帯端末３に送信する。そして、ＣＰＵ３７は、受信した復元データをデータ記憶手段３４ａに記憶させる。
【０１３４】
なお、ステップＳ１０８ａのデータコピー処理は、図５で示したステップＳ１０８の処理と同様に、データバックアップ装置１の制御手段１２が行なってもよく、携帯端末３がバックアップ用アプリケーションに従って行ってもよい。
【０１３５】
実施の形態４．
次に、本発明の第４の実施の形態を図面を参照して説明する。本実施の形態では、有料で配布されている音楽やアプリケーションソフトウェア等を含むバックアップデータを、ユーザ以外の他者の携帯端末に不正に復元されてしまうことを防ぐために、端末ＩＤを用いた携帯端末３の識別以外の方法を用いる場合を説明する。
【０１３６】
なお、本実施の形態において、データバックアップ装置１を用いてデータバックアップ又はデータ復元を行う場合のハードウェア構成は、図１に示したハードウェア構成と同様である。また、本実施の形態において、データバックアップ装置１、充電装置２及び携帯端末３の構成は、図３に示したそれらの構成と同様である。
【０１３７】
図１０は、携帯端末３（本例では、携帯電話機）が記憶するデータの例を示す説明図である。携帯電話機は、図１０に示すように、メモリダイアルや、受信メール、送信済みメール、個人のスケジュール等のプライバシ情報を含むデータ５１を記憶手段３４に記憶する。
【０１３８】
また、携帯電話機は、待ち受け画像や、着信メロディ、ミュージック、アプリケーション等の有料コンテンツを含むデータ５２も記憶手段３４に記憶する。この場合、特に有料コンテンツが無断で他者の携帯電話機等に複製されると、そのコンテンツの販売者にとって不利益となり、ユーザにとっても著作権法違反になる可能性がある。
【０１３９】
一方、その携帯電話機の所有者のプライバシ情報は、ユーザにとって、他者に見られたくない情報も含まれると予想される。そのため、携帯電話機及びデータバックアップ装置１の所有者（ユーザ）は、プライバシ情報を含むデータ５１を他者の携帯電話等に複製されてしまうことを、自ら防止しようとするものと考えられる。
【０１４０】
本実施の形態では、上記のようなユーザの心理的特性を利用し、データバックアップを行う際に、プライバシ情報を含むデータ５１と有料コンテンツを含むデータ５２とを一括した一括バックアップデータ５３を自動生成する。この場合、データバックアップ装置１は、携帯端末３が記憶するデータのうち、少なくともプライバシ情報を含むデータ５１と、有料コンテンツを含むデータ５２とを１つにまとめた一括バックアップデータ５３を生成する。そして、データバックアップ装置１は、生成した一括バックアップデータを、不可分な形でバックアップする（データ記憶手段１３に記憶させる）。また、データバックアップ装置１は、バックアップデータを携帯端末３に復元する場合にも、一括バックアップデータ５３を、充電装置２を介して、そのまま携帯端末３に復元する。そのようにすることによって、バックアップデータを他者の携帯端末３に復元する行為を防止することができる。
【０１４１】
一括バックアップデータ５３を不可分にする方法について説明する。例えば、データバックアップ装置１は、一括バックアップデータ５３に含まれるメモリダイアル等の個々のデータを、バックアップ及び復元のいずれのモードにおいても、分割や抽出を行う手段を提供しないように制御することによって、一括バックアップデータ５３を不可分にする。また、例えば、データバックアップ装置１は、一括バックアップデータ５３を独自形式で１つのバイナリデータとしてアーカイブすることことによって、一括バックアップデータ５３を不可分にする。更に、データバックアップ装置１は、バックアップ時にデータバックアップ装置１の固有のＩＤを鍵として用いて、一括バックアップデータ５３を暗号化し、復元時に逆に復号することによって、一括バックアップデータ５３を不可分にする。
【０１４２】
また、バックアップデータを一旦携帯端末３に復元した後、データバックアップ装置１の制御手段１２は、その復元時刻をデータ記憶手段１３に記憶させてもよい。そして、データバックアップ装置１の制御手段１２は、復元時刻から所定の時間が経過するまで次の復元を禁止するように制御してもよい。そのように制御することは、データバックアップ装置１の内部にタイマ（図示せず）を備えることによって、容易に実現可能である。そのようにすることによって、１つの携帯端末３からバックアップしたデータを、別の複数の携帯端末３にまとめて復元させるような方法で、有料コンテンツの不正な大量複製が行われることを防止することができる。
【０１４３】
なお、本実施の形態において、データバックアップ装置１は、バックアップＩＤを用いる代わりに、携帯端末３が記憶するデータの中に、携帯端末３の利用者が入力したメモリダイアル情報等のプライバシ情報が、所定のデータ量以上含まれている場合にのみ、バックアップを許可するようにしてもよい。また、データバックアップ装置１は、プライバシ情報と有料コンテンツとを分割せずに復元するようにしてもよい。また、データバックアップ装置１は、データの復元を行った後、十分な時間が経過した場合だけ、データの復元を再度許可するようにしてもよい。そのようにすることによって、データバックアップ装置１を利用した有料コンテンツの不正な複製を防止することができる。
【０１４４】
実施の形態５．
次に、本発明の第５の実施の形態を図面を参照して説明する。第１の実施の形態から第４の実施の形態では、１つのデータバックアップ装置１が１つの携帯端末３のデータをバックアップする場合を説明した。本実施の形態では、１つのデータバックアップ装置１を用いて複数の携帯端末３のデータをバックアップする場合を説明する。
【０１４５】
なお、本実施の形態において、データバックアップ装置１を用いてデータバックアップ又はデータ復元を行う場合のハードウェア構成は、図１に示したハードウェア構成と同様である。また、本実施の形態において、データバックアップ装置１、充電装置２及び携帯端末３の構成は、図３に示したそれらの構成と同様である。
【０１４６】
図１１は、１つのデータバックアップ装置１を用いて、複数の携帯端末３が記憶するデータをバックアップする場合の概念を示す説明図である。図１１に示すように、本実施の形態において、データバックアップ装置１のデータ記憶手段１３は、バックアップデータをグループ化し、複数グループのバックアップデータを同時に外部記憶媒体１３Ａに格納させる。この場合、データバックアップ装置１は、携帯端末３単位にグループを定義してもよいし、１回のバックアップ処理毎にグループを定義してもよい。
【０１４７】
本実施の形態では、図１１に示すように、データバックアップ装置１は、携帯端末３単位にグループを定義し、データ記憶手段１３に携帯端末３端末毎のグループにバックアップデータを記憶させる。例えば、データバックアップ装置１は、携帯端末３ａが記憶するデータを、グループ１として、端末ＩＤ付きのバックアップデータ１３０１として保存する。同様に、データバックアップ装置１は、携帯端末３ｂ及び携帯端末３ｃのデータを、それぞれグループ２及びグループ３として、端末ＩＤ付きバックアップデータ１３０２，１３０３として保存する。
【０１４８】
図１１に示すように、データ記憶手段１３が複数のグループ単位でバックアップデータを保存する場合、図５に示したフローチャートにおけるデータコピー処理（ステップＳ１０２，Ｓ１０８）において、それぞれ一連のサブステップからなる処理を実行することが必要となる。
【０１４９】
本実施の形態では、制御手段１２は、携帯端末３から充電装置２を介してデータを読み出し、読み出したデータをバックアップする毎に、グループを作成する。また、制御手段１２は、作成したグループに、データを読み出した携帯端末３に対応する端末ＩＤを付与する。また、制御手段１２は、読み出したデータとともに端末ＩＤをグループ毎にデータ記憶手段１３に記憶させる。
【０１５０】
また、バックアップしたデータを携帯端末３に復元する際に、制御手段１２は、データ記憶手段１３が記憶するデータに対応するグループのうち、復元先の携帯端末３に対応する端末ＩＤと合致する端末ＩＤが付与されているグループを特定する。そして、制御手段１２は、データ記憶手段１３が記憶するデータのうち、特定したグループに対応するデータを携帯端末３に復元する。
【０１５１】
図１２は、携帯端末３からデータ記憶手段１３へのデータコピー処理（図５に示すステップ１０２）において実行するサブステップの一例を示すフローチャートである。ステップＳ１０２において、データバックアップ装置１の制御手段１２は、まず、携帯端末３の端末ＩＤを参照する（サブステップＳ２０１）。この場合、例えば、制御手段１２は、端末ＩＤの送信要求を充電装置２を介して携帯端末３に送信し、携帯端末３から端末ＩＤを受信する。
【０１５２】
端末ＩＤを受信すると、制御手段１２は、受信した端末ＩＤを付与したグループを新規に作成する（サブステップＳ２０２）。この場合、例えば、制御手段１２は、端末ＩＤをバックアップデータの先頭又は末尾に付与することによって、グループを新規に作成する。また、例えば、制御手段１２は、端末ＩＤを新規に作成するグループのファイル名としてもよい。
【０１５３】
また、制御手段１２は、携帯端末３からのバックアップ対象のデータを、データ記憶手段１３の外部記憶媒体１３Ａのグループ用領域にコピーする（サブステップＳ２０３）。
【０１５４】
データのコピーを完了すると、制御手段１２は、サブステップＳ２０３でコピーしたデータ以外に、外部記憶媒体１３Ａに同じ端末ＩＤをもつグループのデータがあるか否かを判定する（サブステップＳ２０４）。なお、端末ＩＤをファイル名としてグループ化した場合、制御手段１２は、サブステップＳ２０４の判定処理をサブステップＳ２０２の前に行なうことによって、データコピーの完了前に既存のファイルを削除するリスクを回避できる。
【０１５５】
サブステップＳ２０４で同じ端末ＩＤをもつ別のグループがないと判定すると、制御手段１２は、そのままステップＳ１０２の処理を終了し、ステップＳ１０３の処理に移行する。同じ端末ＩＤをもつ別の古いグループがあると判定すると、制御手段１２は、その古い方のグループを削除するとともに、その古いグループ用領域に記憶されたデータを削除する（サブステップＳ２０５）。データの削除を完了すると、制御手段１２は、ステップＳ１０２の処理を終了し、ステップＳ１０３の処理に移行する。
【０１５６】
図１３は、データ記憶手段１３から携帯端末３へのデータコピー処理（図５に示すステップＳ１０８）において実行するサブステップの一例を示すフローチャートである。ステップＳ１０８において、データバックアップ装置１の制御手段１２は、まず、携帯端末３から読み込んだ端末ＩＤと同じ端末ＩＤをもつグループを、データ記憶手段１３の外部記憶媒体１３Ａの中から探索する（サブステップＳ３０１）。そして、制御手段１２は、同じ端末ＩＤをもつグループがあるか否かを判定する（サブステップＳ３０２）。
【０１５７】
同じ端末ＩＤをもつグループがあると判定すると、制御手段１２は、データ記憶手段１３に、同じ端末ＩＤをもつグループ用領域からの復元データの読み出しを指示する。そして、制御手段１２は、データ記憶手段１３が読み出した復元データ（バックアップデータ）を、携帯端末３にコピーする処理を実行する（サブステップＳ３０３）。この場合、制御手段１２は、データ記憶手段１３が読み出したデータを、充電装置２を介して携帯端末３に送信する。すると、携帯端末３は、データバックアップ装置１からの復元データを、記憶手段３４に記憶させる。コピーが完了すると、制御手段１２は、ステップＳ１０８の処理を終了し、データ復元処理を終了する。
【０１５８】
サブステップＳ３０２で同じ端末ＩＤをもつグループがないと判定すると、制御手段１２は、その携帯端末３に復元可能なデータがない旨を、通知手段１８を用いて出力する（サブステップＳ３０４）。そして、制御手段１２は、このステップＳ１０８の処理を終了し、データ復元処理を終了する。
【０１５９】
実施の形態６．
次に、本発明の第６の実施の形態を図面を参照して説明する。図１４は、データバックアップ装置１、充電装置２及び携帯端末３の更に他の構成例を示すブロック図である。本実施の形態では、携帯端末３が記憶するバックアップ対象のデータの中に、利用回数や利用時間が制限されているコンテンツが含まれる場合を説明する。
【０１６０】
携帯端末３が記憶するデータのバックアップを行うと、携帯端末３が保存するコンテンツの中に利用回数や利用時間の制限があるコンテンツが含まれている場合であっても、何度も繰り返し復元を行える可能性がある。そのため、利用回数や利用時間に制限のあるコンテンツのこれら制限を、実質的に無効にすることが可能となってしまう可能性がある。従って、コンテンツの利用回数や利用時間の制限がある場合には、このような制限のあるコンテンツのバックアップを携帯端末３側で禁止し、バックアップ本来の目的である不慮の事故や機種変更に伴うデータの維持を行えるようにすることが望ましい。
【０１６１】
本実施の形態では、図１４に示すように、データバックアップ装置１は、図３に示した構成要素に加えて、通信手段１９をを含む。また、データバックアップ装置１の通信手段１９は、インターネット等のネットワーク７を介して、サーバ８に接続される。
【０１６２】
通信手段１９は、具体的には、データバックアップ装置１が搭載するネットワークインタフェース部である。通信手段１９は、データバックアップ装置１が、ネットワーク７を介して各種情報をサーバ８に送信するために用いられる。
【０１６３】
本実施の形態では、制御手段１２は、データの復元時に、通信手段１９を用いて、ネットワーク７を介して、データ復元の可否をサーバ８に問い合わせる。例えば、制御手段１２は、充電装置２を介して接続された携帯端末３の端末ＩＤを、ネットワーク７を介してサーバ８に送信することによって、データ復元の可否を問い合わせる。
【０１６４】
サーバ８は、具体的には、ワークステーションやパーソナルコンピュータ等の情報処理装置である。サーバ８は、利用制限のあるコンテンツの利用回数や利用時間を、携帯端末３毎に管理する機能を備える。例えば、サーバ８は、コンテンツの利用回数及び利用時間を、携帯端末３の端末ＩＤに対応付けて記憶するデータベースを備える。
【０１６５】
また、サーバ８は、データバックアップ装置１からの要求に応じて、携帯端末３へのデータ復元の可否を判定する機能を備える。例えば、サーバ８は、データバックアップ装置１から、ネットワーク７を介して、データ復元先の携帯端末３の端末ＩＤを受信する。そして、サーバ８は、受信した端末ＩＤと、データベースに記憶する利用回数及び利用時間とに基づいて、携帯端末３のコンテンツの利用回数や利用時間が既に制限回数や制限時間を超えているか否かを判断する。制限回数や制限時間を超えていると判断すると、サーバ８は、携帯端末３へのデータ復元を不可であると判定する。そして、サーバ８は、携帯端末３へのデータ復元を禁止する旨の指示情報を、ネットワーク７を介してデータバックアップ装置１に送信する。すると、データバックアップ装置１の制御手段１２は、サーバ８からの指示に従って、携帯端末３へのデータ復元を行わないように制御する。
【０１６６】
以上のように、本実施の形態によれば、サーバ８でコンテンツの利用回数や利用時間を管理し、データバックアップ装置１からの問い合わせに応じて、携帯端末３へのデータ復元の可否を判断する。そのため、利用制限のあるコンテンツであっても、データのバックアップ及び復元を安全に行うことができる。
【産業上の利用可能性】
【０１６７】
本発明は、携帯電話機等の携帯端末が記憶するデータをバックアップするデータバックアップ装置の用途に適用できる。特に、携帯端末に付属可能な安価な充電用クレードルとは別に、充電用クレードルに接続して利用するデータバックアップ用クレードルの用途に適用できる。
【図面の簡単な説明】
【０１６８】
【図１】本発明によるデータバックアップ装置を用いてデータのバックアップ及び復元を行う場合のハードウェア構成を示す説明図である。
【図２】従来技術に基づいて、データのバックアップ及び復元を行う場合のハードウェア構成を示す説明図である。
【図３】データバックアップ装置、充電装置及び携帯端末の構成の一例を示すブロック図である。
【図４】設定手段の一例を示す説明図である。
【図５】データバックアップ装置が行うバックアップ及び復元の処理の一例を示すフローチャートである。
【図６】制御手段がバックアップＩＤを生成する方法の例を示す説明図である。
【図７】データバックアップ装置１が、動作モードを自動判定する処理の一例を示すフローチャートである。
【図８】データバックアップ装置、充電装置及び携帯端末の他の構成例を示すブロック図である。
【図９】携帯端末が行うバックアップ及び復元の処理の一例を示すフローチャートである。
【図１０】携帯端末が記憶するデータの例を示す説明図である。
【図１１】１つのデータバックアップ装置を用いて、複数の携帯端末が記憶するデータをバックアップする場合の概念を示す説明図である。
【図１２】携帯端末からデータ記憶手段へのデータコピー処理において実行するサブステップの一例を示すフローチャートである。
【図１３】データ記憶手段から携帯端末へのデータコピー処理において実行するサブステップの一例を示すフローチャートである。
【図１４】データバックアップ装置、充電装置及び携帯端末の更に他の構成例を示すブロック図である。
【符号の説明】
【０１６９】
１  データバックアップ装置
２  充電装置
３  携帯端末
１１  電力供給手段
１２  制御手段
１３  データ記憶手段
１３Ａ  外部記憶媒体
１４  プログラム記憶手段
１５  電源接続手段
１６  データ接続手段
１７  設定手段
１８  通知手段
２１  電源コンセント
２２  分流手段
２３，２５  電源接続手段
２４，２６  データ接続手段
３１  電力供給手段
３２  充電手段
３３  電池
３４  記憶手段
３５  電源接続手段
３６  データ接続手段
【図１】
2006352519.tif 000003
【図２】
2006352519.tif 000004
【図３】
2006352519.tif 000005
【図４】
2006352519.tif 000006
【図５】
2006352519.tif 000007
【図６】
2006352519.tif 000008
【図７】
2006352519.tif 000009
【図８】
2006352519.tif 000010
【図９】
2006352519.tif 000011
【図１０】
2006352519.tif 000012
【図１１】
2006352519.tif 000013
【図１２】
2006352519.tif 000014
【図１３】
2006352519.tif 000015
【図１４】
2006352519.tif 000016